(57)【要約】【課題】  利用者に対する健康管理に汎用性を持たせた健康管理支援システムを提供する。【解決手段】  健康情報管理装置（２０）が、移動体通信端末装置（１０）から受信したカロリー情報を各移動体通信端末装置（１０）毎に区分して健康情報管理装置（２０）の具備する格納部（２１）に格納し、カロリー情報の履歴を管理する。そして、健康情報管理装置（２０）にて管理するカロリー情報の履歴を基に、移動体通信端末装置（１０）と、健康情報管理装置（２０）と、健康カウンセリングを行う健康情報カウンセリング装置（３０）と、利用者に最適なカロリー情報に関する情報が閲覧可能なカロリー情報閲覧端末装置（４０）と、により利用者に対する健康管理を行う。【選択図】  図１
2005275606.tif 000002
【特許請求の範囲】
【請求項１】
カロリー情報を管理する健康管理装置と、利用者に最適なカロリー情報に関する情報が閲覧可能なカロリー閲覧端末と、健康カウンセリングを行う健康カウンセリング装置と、ネットワークを介して接続された移動体通信端末であって、
消費カロリー情報と摂取カロリー情報とのカロリー情報を格納し、該格納したカロリー情報を前記健康管理装置に送信するカロリー情報送信手段と、
前記送信したカロリー情報の履歴の取得要求を前記健康管理装置に送信し、前記健康管理装置から前記カロリー情報の履歴を取得するカロリー情報取得手段と、
健康カウンセリングの要求を前記健康管理装置に送信し、前記健康カウンセリングの要求に応じた健康カウンセリングの結果を前記健康管理装置から取得する健康カウンセリング結果取得手段と、
前記カロリー情報に関する情報の閲覧要求を前記カロリー閲覧端末に送信し、前記カロリー閲覧端末から前記閲覧要求先の移動体通信端末の利用者に対して最適となるカロリー情報に関する情報を取得する推奨カロリー情報取得手段と、
を有することを特徴とする移動体通信端末。
【請求項２】
情報記録媒体に記録された摂取カロリー情報や消費カロリー情報を読み取る読取手段を有し、前記読取手段により読み取られたカロリー情報を格納することを特徴とする請求項１記載の移動体通信端末。
【請求項３】
前記健康管理装置にアクセスし、前記健康管理装置に前記カロリー情報を格納するために必要な情報を前記健康管理装置に登録した際に、前記健康管理装置からアプリケーションプログラムを取得し、該取得したアプリケーションプログラムを用いて、前記摂取カロリー情報と前記消費カロリー情報とを格納することを特徴とする請求項１または２記載の移動体通信端末。
【請求項４】
前記カロリー情報に関する情報の閲覧要求を近距離無線通信にて前記カロリー閲覧端末に送信し、前記カロリー情報に関する情報を近距離無線通信にて前記カロリー閲覧端末から取得することを特徴とする請求項１記載の移動体通信端末。
【請求項５】
前記取得したアプリケーションプログラムを用いて、前記格納した摂取カロリー情報と消費カロリー情報とのカロリー情報を読み出し、１日の累積カロリー情報、１日の摂取カロリーまでに必要な残りの情報を含むカロリー情報を、前記カロリー情報に関する情報の閲覧要求と共に前記カロリー閲覧端末に送信し、前記カロリー情報に関する情報を前記カロリー閲覧端末から取得することを特徴とする請求項３または４記載の移動体通信端末。
【請求項６】
移動体通信端末と、利用者に最適なカロリー情報に関する情報が閲覧可能なカロリー閲覧端末と、健康カウンセリングを行う健康カウンセリング装置と、ネットワークを介して接続し、カロリー情報を管理する健康管理装置であって、
前記移動体通信端末からカロリー情報を受信し、該受信したカロリー情報を、各移動体通信端末毎に区分して格納し、前記カロリー情報の履歴を管理するカロリー情報履歴格納手段と、
前記移動体通信端末から前記カロリー情報の履歴の取得要求を受信した際に、該受信した取得要求先の移動体通信端末のカロリー情報の履歴を前記カロリー情報履歴格納手段から取得し、該取得したカロリー情報の履歴を前記移動体通信端末に送信するカロリー情報送信手段と、
前記移動体通信端末から前記健康カウンセリングの要求を受信した際に、該受信した取得要求先の移動体通信端末のカロリー情報の履歴を前記カロリー情報履歴格納手段から取得し、該取得したカロリー情報の履歴と前記健康カウンセリングの要求とを前記健康カウンセリング装置に送信し、前記健康カウンセリング装置から前記健康カウンセリングの結果を受信し、該受信した健康カウンセリングの結果を前記カロリー情報履歴格納手段に格納し、前記健康カウンセリングの結果を前記移動体通信端末に送信する健康カウンセリング送信手段と、
前記カロリー閲覧端末から前記カロリー情報の取得要求を受信した際に、該受信した取得要求先の移動体通信端末のカロリー情報の履歴と前記健康カウンセリングの結果とを前記カロリー情報履歴格納手段から取得し、該取得したカロリー情報の履歴と前記健康カウンセリングの結果とを前記カロリー閲覧端末に送信する閲覧情報送信手段と、
を有することを特徴とする健康管理装置。
【請求項７】
前記カロリー情報履歴格納手段は、前記カロリー情報を、各移動体通信端末の識別情報とパスワードとに関連付けて格納しており、
前記健康管理装置は、
前記移動体通信端末から前記カロリー情報の履歴の取得要求と共にパスワードを受信した際に、該受信した取得要求先の移動体通信端末の識別情報とパスワードとに関連付けて前記カロリー情報履歴格納手段に格納されているカロリー情報の履歴を取得し、該取得したカロリー情報の履歴を前記移動体通信端末に送信し、
前記移動体通信端末から前記健康カウンセリングの要求と共にパスワードを受信した際に、該受信した取得要求先の移動体通信端末の識別情報とパスワードとに関連付けて前記カロリー情報履歴格納手段に格納されているカロリー情報の履歴を取得し、該取得したカロリー情報の履歴と前記健康カウンセリングの要求とを前記健康カウンセリング装置に送信し、前記健康カウンセリング装置から前記健康カウンセリングの結果を受信し、該受信した健康カウンセリングの結果を前記識別情報とパスワードとに関連付けて前記カロリー情報履歴格納手段に格納し、前記健康カウンセリングの結果を前記移動体通信端末に送信し、
前記カロリー閲覧端末から前記カロリー情報の取得要求とパスワードとを受信した際に、該受信した取得要求先の移動体通信端末の端末識別情報とパスワードとに関連付けて前記カロリー情報履歴格納手段に格納されているカロリー情報の履歴と健康カウンセリングの結果とを取得し、該取得したカロリー情報の履歴と健康カウンセリングの結果とを前記カロリー閲覧端末に送信することを特徴とする請求項６記載の健康管理装置。
【請求項８】
前記移動体通信端末から前記健康カウンセリングの要求を受信した際に、該受信した健康カウンセリングの要求の内容を分析し、複数の専門家の中から前記健康カウンセリング要求に合致する最適な専門家を決定し、該決定した専門家の保持する健康カウンセリング装置に、前記カロリー情報の履歴と前記健康カウンセリングの要求とを送信することを特徴とする請求項６または７記載の健康管理装置。
【請求項９】
カロリー情報を管理する健康管理装置とネットワークを介して接続し、前記カロリー情報を基に健康カウンセリングを行う健康カウンセリング装置であって、
前記健康管理装置から前記カロリー情報の履歴と前記健康カウンセリングの要求とを受信した際に、該受信したカロリー情報の履歴と前記健康カウンセリングの要求内容とを基にカルテを作成し、該作成したカルテに健康カウンセリングの結果が書き込まれた前記健康カウンセリングの結果を前記健康管理装置に送信するカウンセリング手段を有することを特徴とする健康カウンセリング装置。
【請求項１０】
移動体通信端末と、カロリー情報を管理する健康管理装置と、ネットワークを介して接続し、前記移動体通信端末を保持する利用者に最適なカロリー情報に関する情報が閲覧可能なカロリー閲覧端末であって、
前記移動体通信端末から前記カロリー情報に関する情報の閲覧要求を受信した際に、前記健康管理装置に前記カロリー情報の取得要求を送信し、前記健康管理装置から前記カロリー情報の履歴と健康カウンセリングの結果とを取得し、該取得した前記カロリー情報の履歴と前記健康カウンセリングの結果とを基に、前記カロリー閲覧端末の具備する格納部から前記閲覧要求先の移動体通信端末の利用者に対して最適となるカロリー情報に関する情報を検索取得し、該取得した前記カロリー情報に関する情報を表示する表示手段を有することを特徴とするカロリー閲覧端末。
【請求項１１】
前記移動体通信端末から前記カロリー情報に関する情報の閲覧要求を受信した際に、パスワードの入力要求を行い、前記パスワードが入力されたと判断した場合に、前記健康管理装置に前記カロリー情報の取得要求と前記パスワードとを送信し、前記健康管理装置から前記カロリー情報の履歴と前記健康カウンセリングの結果とを取得し、該取得した前記カロリー情報の履歴と前記健康カウンセリングの結果とを基に、前記カロリー閲覧端末の具備する格納部から前記閲覧要求先の移動体通信端末の利用者に対して最適となるカロリー情報に関する情報を検索取得し、該取得した前記カロリー情報に関する情報を表示することを特徴とする請求項１０記載のカロリー閲覧端末。
【請求項１２】
前記閲覧要求先の移動体通信端末の利用者に対して最適となるカロリー情報に関する情報を印刷出力する印刷手段を有することを特徴とする請求項１０または１１記載のカロリー閲覧端末。
【請求項１３】
前記閲覧要求先の移動体通信端末の利用者に対して最適となるカロリー情報に関する情報を前記閲覧要求先の移動体通信端末に近距離無線通信にて送信する送信手段を有することを特徴とする請求項１０から１２の何れか１項に記載のカロリー閲覧端末。
【請求項１４】
移動体通信端末と、カロリー情報を管理する健康管理装置と、利用者に最適なカロリー情報に関する情報が閲覧可能なカロリー閲覧端末と、健康カウンセリングを行う健康カウンセリング装置と、がネットワークを介して接続された健康管理支援システムであって、
前記移動体通信端末は、
消費カロリー情報と摂取カロリー情報とのカロリー情報を格納し、該格納したカロリー情報を前記健康管理装置に送信するカロリー情報送信手段と、
前記送信したカロリー情報の履歴の取得要求を前記健康管理装置に送信し、前記健康管理装置から前記カロリー情報の履歴を取得するカロリー情報取得手段と、
健康カウンセリングの要求を前記健康管理装置に送信し、前記健康カウンセリングの要求に応じた健康カウンセリングの結果を前記健康管理装置から取得する健康カウンセリング結果取得手段と、
前記カロリー情報に関する情報の閲覧要求を前記カロリー閲覧端末に送信する推奨カロリー情報閲覧要求手段と、
を有し、
前記健康管理装置は、
前記移動体通信端末から受信したカロリー情報を各移動体通信端末毎に区分して格納し、前記カロリー情報の履歴を管理するカロリー情報履歴格納手段と、
前記移動体通信端末から前記カロリー情報の履歴の取得要求を受信した際に、該受信した取得要求先の移動体通信端末のカロリー情報の履歴を前記カロリー情報履歴格納手段から取得し、該取得したカロリー情報の履歴を前記移動体通信端末に送信するカロリー情報送信手段と、
前記移動体通信端末から前記健康カウンセリングの要求を受信した際に、該受信した取得要求先の移動体通信端末のカロリー情報の履歴を前記カロリー情報履歴格納手段から取得し、該取得したカロリー情報の履歴と前記健康カウンセリングの要求とを前記健康カウンセリング装置に送信し、前記健康カウンセリング装置から前記健康カウンセリングの結果を受信し、該受信した健康カウンセリングの結果を前記カロリー情報履歴格納手段に格納し、前記健康カウンセリングの結果を前記移動体通信端末に送信する健康カウンセリング送信手段と、
前記カロリー閲覧端末から前記カロリー情報の取得要求を受信した際に、該受信した取得要求先の移動体通信端末のカロリー情報の履歴と前記健康カウンセリングの結果とを前記カロリー情報履歴格納手段から取得し、該取得したカロリー情報の履歴と前記健康カウンセリングの結果とを前記カロリー閲覧端末に送信する閲覧情報送信手段と、
を有し、
前記健康カウンセリング装置は、
前記健康管理装置から前記カロリー情報の履歴と前記健康カウンセリングの要求とを受信した際に、該受信したカロリー情報の履歴と前記健康カウンセリングの要求内容とを基にカルテを作成し、該作成したカルテに健康カウンセリングの結果が書き込まれた前記健康カウンセリングの結果を前記健康管理装置に送信するカウンセリング手段を有し、
前記カロリー閲覧端末は、
前記移動体通信端末から前記カロリー情報に関する情報の閲覧要求を受信した際に、前記健康管理装置に前記カロリー情報の取得要求を送信し、前記健康管理装置から前記カロリー情報の履歴と前記健康カウンセリングの結果とを取得し、該取得した前記カロリー情報の履歴と前記健康カウンセリングの結果とを基に、前記カロリー閲覧端末の具備する格納部から前記閲覧要求先の移動体通信端末の利用者に対して最適となるカロリー情報に関する情報を検索取得し、該取得した前記カロリー情報に関する情報を表示する表示手段を有することを特徴とする健康管理支援システム。
【請求項１５】
前記移動体通信端末は、
情報記録媒体に記録された摂取カロリー情報や消費カロリー情報を読み取る読取手段を有し、前記読取手段により読み取られたカロリー情報を格納することを特徴とする請求項１４記載の健康管理支援システム。
【請求項１６】
前記移動体通信端末は、
前記健康管理装置にアクセスし、前記健康管理装置に前記カロリー情報を格納するために必要な情報を前記健康管理装置に登録した際に、前記健康管理装置からアプリケーションプログラムを取得し、該取得したアプリケーションプログラムを用いて、前記摂取カロリー情報と前記消費カロリー情報とを格納することを特徴とする請求項１４または１５記載の健康管理支援システム。
【請求項１７】
前記移動体通信端末は、
前記カロリー情報に関する情報の閲覧要求を近距離無線通信にて前記カロリー閲覧端末に送信することを特徴とする請求項１４記載の健康管理支援システム。
【請求項１８】
前記移動体通信端末は、
前記取得したアプリケーションプログラムを用いて、前記格納した摂取カロリー情報と消費カロリー情報とのカロリー情報を読み出し、１日の累積カロリー情報、１日の摂取カロリーまでに必要な残りの情報を含むカロリー情報を前記カロリー情報に関する情報の閲覧要求と共に前記カロリー閲覧端末に送信し、
前記カロリー閲覧端末は、
前記移動体通信端末から受信した前記カロリー情報と、前記カロリー情報の履歴と前記健康カウンセリングの結果とを基に、前記カロリー閲覧端末の具備する格納部から前記閲覧要求先の移動体通信端末の利用者に対して最適となるカロリー情報に関する情報を検索取得し、該取得した前記カロリー情報に関する情報を表示することを特徴とする請求項１６または１７記載の健康管理支援システム。
【請求項１９】
前記健康管理装置は、
前記カロリー情報を、各移動体通信端末の識別情報とパスワードとに関連付けて前記カロリー情報履歴格納手段に格納し、
前記健康管理装置は、
前記移動体通信端末から前記カロリー情報の履歴の取得要求と共にパスワードを受信した際に、該受信した取得要求先の移動体通信端末の識別情報とパスワードとに関連付けて前記カロリー情報履歴格納手段に格納されているカロリー情報の履歴を取得し、該取得したカロリー情報の履歴を前記移動体通信端末に送信し、
前記移動体通信端末から前記健康カウンセリングの要求と共にパスワードを受信した際に、該受信した取得要求先の移動体通信端末の識別情報とパスワードとに関連付けて前記カロリー情報履歴格納手段に格納されているカロリー情報の履歴を取得し、該取得したカロリー情報の履歴と前記健康カウンセリングの要求とを前記健康カウンセリング装置に送信し、前記健康カウンセリング装置から前記健康カウンセリングの結果を受信し、該受信した健康カウンセリングの結果を前記識別情報とパスワードとに関連付けて前記カロリー情報履歴格納手段に格納し、前記健康カウンセリングの結果を前記移動体通信端末に送信することを特徴とする請求項１４記載の健康管理支援システム。
【請求項２０】
前記健康管理装置は、
前記移動体通信端末から前記健康カウンセリングの要求を受信した際に、該受信した健康カウンセリングの要求の内容を分析し、複数の専門家の中から前記健康カウンセリング要求に合致する最適な専門家を決定し、該決定した専門家の保持する健康カウンセリング装置に、前記カロリー情報の履歴と前記健康カウンセリングの要求とを送信することを特徴とする請求項１４または１９記載の健康管理支援システム。
【請求項２１】
前記カロリー閲覧端末は、
前記移動体通信端末から前記カロリー情報に関する情報の閲覧要求を受信した際に、パスワードの入力要求を行い、前記パスワードが入力されたと判断した場合に、前記健康管理装置に前記カロリー情報の取得要求と前記パスワードとを送信し、
前記健康管理装置は、
前記カロリー閲覧端末から前記カロリー情報の取得要求とパスワードとを受信した際に、該受信した取得要求先の移動体通信端末の端末識別情報とパスワードとに関連付けて前記カロリー情報履歴格納手段に格納されているカロリー情報の履歴と健康カウンセリングの結果とを取得し、該取得したカロリー情報の履歴と健康カウンセリングの結果とを前記カロリー閲覧端末に送信することを特徴とする請求項１４または１９記載の健康管理支援システム。
【請求項２２】
前記カロリー閲覧端末は、
前記閲覧要求先の移動体通信端末の利用者に対して最適となるカロリー情報に関する情報を印刷出力する印刷手段を有することを特徴とする請求項１４記載の健康管理支援システム。
【請求項２３】
前記カロリー閲覧端末は、
前記閲覧要求先の移動体通信端末の利用者に対して最適となるカロリー情報に関する情報を前記閲覧要求先の移動体通信端末に近距離無線通信にて送信し、
前記移動体通信端末は、
前記カロリー閲覧端末から前記閲覧要求先の移動体通信端末の利用者に対して最適となるカロリー情報に関する情報を近距離無線通信にて取得することを特徴とする請求項１４または２２記載の健康管理支援システム。
【請求項２４】
移動体通信端末と、カロリー情報を管理する健康管理装置と、利用者に最適なカロリー情報に関する情報が閲覧可能なカロリー閲覧端末と、健康カウンセリングを行う健康カウンセリング装置と、を用いて行う健康管理支援方法であって、
前記移動体通信端末が、消費カロリー情報と摂取カロリー情報とのカロリー情報を前記移動体通信端末の具備する格納部に格納し、該格納したカロリー情報を前記健康管理装置に送信するカロリー情報送信工程と、
前記健康管理装置が、前記移動体通信端末から受信したカロリー情報を各移動体通信端末毎に区分して前記健康管理装置の具備する格納部に格納し、前記カロリー情報の履歴を管理するカロリー情報履歴格納工程と、
前記移動体通信端末が、前記カロリー情報の履歴の取得要求を前記健康管理装置に送信し、前記健康管理装置から前記カロリー情報の履歴を取得するカロリー情報取得工程と、
前記健康管理装置が、前記移動体通信端末から前記カロリー情報の履歴の取得要求を受信した際に、該受信した取得要求先の移動体通信端末のカロリー情報の履歴を前記健康管理装置の具備する格納部から取得し、該取得したカロリー情報の履歴を前記移動体通信端末に送信するカロリー情報送信工程と、
前記移動体通信端末が、健康カウンセリングの要求を前記健康管理装置に送信し、前記健康カウンセリングの要求に応じた健康カウンセリングの結果を前記健康管理装置から取得する健康カウンセリング結果取得工程と、
前記健康管理装置が、前記移動体通信端末から前記健康カウンセリングの要求を受信した際に、該受信した取得要求先の移動体通信端末のカロリー情報の履歴を前記健康管理装置の具備する格納部から取得し、該取得したカロリー情報の履歴と前記健康カウンセリングの要求とを前記健康カウンセリング装置に送信し、前記健康カウンセリング装置から前記健康カウンセリングの結果を受信し、該受信した健康カウンセリングの結果を前記健康管理装置の具備する格納部に格納し、前記健康カウンセリングの結果を前記移動体通信端末に送信する健康カウンセリング送信工程と、
前記健康カウンセリング装置が、前記健康管理装置から前記カロリー情報の履歴と前記健康カウンセリングの要求とを受信した際に、該受信したカロリー情報の履歴と前記健康カウンセリングの要求内容とを基にカルテを作成し、該作成したカルテに健康カウンセリングの結果が書き込まれた前記健康カウンセリングの結果を前記健康管理装置に送信するカウンセリング工程と、
前記移動体通信端末が、前記カロリー情報に関する情報の閲覧要求を前記カロリー閲覧端末に送信する推奨カロリー情報閲覧要求工程と、
前記カロリー閲覧端末が、前記移動体通信端末から前記カロリー情報に関する情報の閲覧要求を受信した際に、前記健康管理装置に前記カロリー情報の取得要求を送信し、前記健康管理装置から前記カロリー情報の履歴と前記健康カウンセリングの結果とを取得し、該取得した前記カロリー情報の履歴と前記健康カウンセリングの結果とを基に、前記カロリー閲覧端末の具備する格納部から前記閲覧要求先の移動体通信端末の利用者に対して最適となるカロリー情報に関する情報を検索取得し、該取得した前記カロリー情報に関する情報を前記カロリー閲覧端末の具備する表示部に表示する表示工程と、
前記健康管理装置が、前記カロリー閲覧端末から前記カロリー情報の取得要求を受信した際に、該受信した取得要求先の移動体通信端末のカロリー情報の履歴と前記健康カウンセリングの結果とを前記健康管理装置の具備する格納部から取得し、該取得したカロリー情報の履歴と前記健康カウンセリングの結果とを前記カロリー閲覧端末に送信する閲覧情報送信工程と、
を行うことを特徴とする健康管理支援方法。
【請求項２５】
前記移動体通信端末が、情報記録媒体に記録された摂取カロリー情報や消費カロリー情報を読み取り、該読み取ったカロリー情報を前記移動体通信端末の具備する格納部に格納することを特徴とする請求項２４記載の健康管理支援方法。
【請求項２６】
前記移動体通信端末が、前記健康管理装置にアクセスし、前記健康管理装置の具備する格納部に前記カロリー情報を格納するために必要な情報を前記健康管理装置に登録した際に、前記健康管理装置からアプリケーションプログラムを取得し、該取得したアプリケーションプログラムを用いて、前記摂取カロリー情報と前記消費カロリー情報とを格納する工程を行うことを特徴とする請求項２４または２５記載の健康管理支援方法。
【請求項２７】
前記移動体通信端末が、前記カロリー情報に関する情報の閲覧要求を近距離無線通信にて前記カロリー閲覧端末に送信することを特徴とする請求項２４記載の健康管理支援方法。
【請求項２８】
前記移動体通信端末が、前記取得したアプリケーションプログラムを用いて、前記移動体通信端末の具備する格納部に格納した摂取カロリー情報と消費カロリー情報とのカロリー情報を読み出し、１日の累積カロリー情報、１日の摂取カロリーまでに必要な残りの情報を含むカロリー情報を、前記カロリー情報に関する情報の閲覧要求と共に前記カロリー閲覧端末に送信する工程と、
前記カロリー閲覧端末が、前記移動体通信端末から受信した前記カロリー情報と、前記カロリー情報の履歴と前記健康カウンセリングの結果とを基に、前記カロリー閲覧端末の具備する格納部から前記閲覧要求先の移動体通信端末の利用者に対して最適となるカロリー情報に関する情報を検索取得し、該取得した前記カロリー情報に関する情報を表示する工程と、
を行うことを特徴とする請求項２６または２７記載の健康管理支援方法。
【請求項２９】
前記健康管理装置が、前記カロリー情報を、各移動体通信端末の識別情報とパスワードとに関連付けて前記健康管理装置の具備する格納部に格納する工程と、
前記健康管理装置が、前記移動体通信端末から前記カロリー情報の履歴の取得要求と共にパスワードを受信した際に、該受信した取得要求先の移動体通信端末の識別情報とパスワードとに関連付けて前記健康管理装置の具備する格納部に格納されているカロリー情報の履歴を取得し、該取得したカロリー情報の履歴を前記移動体通信端末に送信する工程と、
前記健康管理装置が、前記移動体通信端末から前記健康カウンセリングの要求と共にパスワードを受信した際に、該受信した取得要求先の移動体通信端末の識別情報とパスワードとに関連付けて前記健康管理装置の具備する格納部に格納されているカロリー情報の履歴を取得し、該取得したカロリー情報の履歴と前記健康カウンセリングの要求とを前記健康カウンセリング装置に送信し、前記健康カウンセリング装置から前記健康カウンセリングの結果を受信し、該受信した健康カウンセリングの結果を前記識別情報とパスワードとに関連付けて前記健康管理装置の具備する格納部に格納し、前記健康カウンセリングの結果を前記移動体通信端末に送信する工程と、
を行うことを特徴とする請求項２４記載の健康管理支援方法。
【請求項３０】
前記健康管理装置が、前記移動体通信端末から前記健康カウンセリングの要求を受信した際に、該受信した健康カウンセリングの要求の内容を分析し、複数の専門家の中から前記健康カウンセリング要求に合致する最適な専門家を決定し、該決定した専門家の保持する健康カウンセリング装置に、前記カロリー情報の履歴と前記健康カウンセリングの要求とを送信する工程を行うことを特徴とする請求項２４または２９記載の健康管理支援方法。
【請求項３１】
前記カロリー閲覧端末が、前記移動体通信端末から前記カロリー情報に関する情報の閲覧要求を受信した際に、パスワードの入力要求を行い、前記パスワードが入力されたと判断した場合に、前記健康管理装置に前記カロリー情報の取得要求と前記パスワードとを送信する工程と、
前記健康管理装置が、前記カロリー閲覧端末から前記カロリー情報の取得要求とパスワードとを受信した際に、該受信した取得要求先の移動体通信端末の端末識別情報とパスワードとに関連付けて前記健康管理装置の具備する格納部に格納されているカロリー情報の履歴と健康カウンセリングの結果とを取得し、該取得したカロリー情報の履歴と健康カウンセリングの結果とを前記カロリー閲覧端末に送信する工程と、
を行うことを特徴とする請求項２４または２９記載の健康管理支援方法。
【請求項３２】
前記カロリー閲覧端末が、前記閲覧要求先の移動体通信端末の利用者に対して最適となるカロリー情報に関する情報を印刷出力する印刷工程を行うことを特徴とする請求項２４記載の健康管理支援方法。
【請求項３３】
前記カロリー閲覧端末が、前記閲覧要求先の移動体通信端末の利用者に対して最適となるカロリー情報に関する情報を前記閲覧要求先の移動体通信端末に近距離無線通信にて送信する工程と、
前記移動体通信端末が、前記カロリー閲覧端末から前記閲覧要求先の移動体通信端末の利用者に対して最適となるカロリー情報に関する情報を近距離無線通信にて取得する工程と、
を行うことを特徴とする請求項２４記載の健康管理支援方法。
【発明の詳細な説明】
【技術分野】
【０００１】
本発明は、健康管理支援システム及び健康管理支援方法に関し、特に、各利用者の摂取カロリーと消費カロリーとの情報を分析し、その分析結果を基に各利用者の健康管理を支援する健康管理支援システム及び健康管理支援方法、並びに、その健康管理支援システム及び健康管理支援方法に用いられる移動体通信端末、健康管理装置、健康カウンセリング装置、カロリー閲覧端末、に関するものである。
【背景技術】
【０００２】
近年、生活週間病の予防やダイエット等の自己の健康管理に対する関心が高まりつつある。特に、食生活の乱れから発生する肥満や生活週間病が問題となっており、様々な対策がなされているのが現状である。その対策の１つとして、摂取カロリーと消費カロリーとのバランスや栄養成分を基に健康管理を行う管理方法がある。
【０００３】
しかしながら、従来の健康管理方法は、摂取カロリーと消費カロリーとを利用者が個別に調べて管理しなければならないという制約があった。また、専門家による健康管理のカウンセリングを受けたい場合には、利用者が個々に記録した摂取カロリーと消費カロリーとをまとめ、そのまとめた情報を利用者が能動的に専門家に提供しなければならなかった。
【０００４】
なお、本発明より先に出願された技術文献として、ユーザのカロリー摂取量、カロリー消費量、及び、正味カロリー収支を分析し、体重調整目標に対するユーザの進捗状況についてのユーザ用評価メッセージを生成し、体重調整目標の達成に向けて努力させるものがある（例えば、特許文献１参照）。
【０００５】
また、利用者が摂取する個々の食事の内容を示す食事データのバーコードを読み取ることで食事データを取得するユーザ端末と、前記ユーザ端末から前記食事データの通知を受け付け、その食事データに示される食事内容を分析し、各利用者が摂取する食事のカロリー、及び、食品群の情報を含む摂取情報を利用者毎に集計管理し、利用者の食生活管理のアドバイスデータを生成し、該生成したアドバイスデータをユーザ端末に通知する食事情報提供サーバと、を有し、利用者が普段の食生活におけるカロリー等を容易に管理することが可能となるものがある（例えば、特許文献２参照）。
【０００６】
また、歩数と食べ物の内容から、摂取と消費とを差し引いたカロリー量を算出し、その算出したカロリー量を基にダイエットに関わる情報を作成し、その作成した情報を管理するものがある（例えば、特許文献３参照）。
【特許文献１】特表２００３−５３４５８１号公報
【特許文献２】特開２００２−１８３３１１号公報
【特許文献３】特開２００２−２４４００号公報
【発明の開示】
【発明が解決しようとする課題】
【０００７】
なお、上記特許文献１〜３は、利用者から取得した情報を基に、各利用者に対応した健康情報を作成し、その作成した健康情報を利用者に提供するものであるが、各利用者の保持する携帯電話等の移動体通信端末装置を用いて、各利用者に対する健康管理のサービスに汎用性を持たせる必要がある。
【０００８】
本発明は上記事情に鑑みてなされたものであり、利用者の保持する移動体通信端末を用いて、利用者に対する健康管理に汎用性を持たせた健康管理支援システム及び健康管理支援方法を提供することを目的とするものである。
【０００９】
また、利用者に対する健康管理に汎用性を持たせた移動体通信端末、健康管理装置、健康カウンセリング装置、カロリー閲覧端末を提供することを目的とするものである。
【課題を解決するための手段】
【００１０】
かかる目的を達成するために、本発明は以下の特徴を有することとする。
【００１１】
本発明にかかる移動体通信端末は、カロリー情報を管理する健康管理装置と、利用者に最適なカロリー情報に関する情報が閲覧可能なカロリー閲覧端末と、健康カウンセリングを行う健康カウンセリング装置と、ネットワークを介して接続された移動体通信端末であって、消費カロリー情報と摂取カロリー情報とのカロリー情報を格納し、該格納したカロリー情報を健康管理装置に送信するカロリー情報送信手段と、送信したカロリー情報の履歴の取得要求を健康管理装置に送信し、健康管理装置からカロリー情報の履歴を取得するカロリー情報取得手段と、健康カウンセリングの要求を健康管理装置に送信し、健康カウンセリングの要求に応じた健康カウンセリングの結果を健康管理装置から取得する健康カウンセリング結果取得手段と、カロリー情報に関する情報の閲覧要求をカロリー閲覧端末に送信し、カロリー閲覧端末から閲覧要求先の移動体通信端末の利用者に対して最適となるカロリー情報に関する情報を取得する推奨カロリー情報取得手段と、を有することを特徴とするものである。
【００１２】
また、本発明にかかる移動体通信端末は、情報記録媒体に記録された摂取カロリー情報や消費カロリー情報を読み取る読取手段を有し、読取手段により読み取られたカロリー情報を格納することを特徴とするものである。
【００１３】
また、本発明にかかる移動体通信端末は、健康管理装置にアクセスし、健康管理装置にカロリー情報を格納するために必要な情報を健康管理装置に登録した際に、健康管理装置からアプリケーションプログラムを取得し、該取得したアプリケーションプログラムを用いて、摂取カロリー情報と消費カロリー情報とを格納することを特徴とするものである。
【００１４】
また、本発明にかかる移動体通信端末は、カロリー情報に関する情報の閲覧要求を近距離無線通信にてカロリー閲覧端末に送信し、カロリー情報に関する情報を近距離無線通信にてカロリー閲覧端末から取得することを特徴とするものである。
【００１５】
また、本発明にかかる移動体通信端末は、取得したアプリケーションプログラムを用いて、格納した摂取カロリー情報と消費カロリー情報とのカロリー情報を読み出し、１日の累積カロリー情報、１日の摂取カロリーまでに必要な残りの情報を含むカロリー情報を、カロリー情報に関する情報の閲覧要求と共にカロリー閲覧端末に送信し、カロリー情報に関する情報をカロリー閲覧端末から取得することを特徴とするものである。
【００１６】
また、本発明にかかる健康管理装置は、移動体通信端末と、利用者に最適なカロリー情報に関する情報が閲覧可能なカロリー閲覧端末と、健康カウンセリングを行う健康カウンセリング装置と、ネットワークを介して接続し、カロリー情報を管理する健康管理装置であって、移動体通信端末からカロリー情報を受信し、該受信したカロリー情報を、各移動体通信端末毎に区分して格納し、カロリー情報の履歴を管理するカロリー情報履歴格納手段と、移動体通信端末からカロリー情報の履歴の取得要求を受信した際に、該受信した取得要求先の移動体通信端末のカロリー情報の履歴をカロリー情報履歴格納手段から取得し、該取得したカロリー情報の履歴を移動体通信端末に送信するカロリー情報送信手段と、移動体通信端末から健康カウンセリングの要求を受信した際に、該受信した取得要求先の移動体通信端末のカロリー情報の履歴をカロリー情報履歴格納手段から取得し、該取得したカロリー情報の履歴と健康カウンセリングの要求とを健康カウンセリング装置に送信し、健康カウンセリング装置から健康カウンセリングの結果を受信し、該受信した健康カウンセリングの結果をカロリー情報履歴格納手段に格納し、健康カウンセリングの結果を移動体通信端末に送信する健康カウンセリング送信手段と、カロリー閲覧端末からカロリー情報の取得要求を受信した際に、該受信した取得要求先の移動体通信端末のカロリー情報の履歴と健康カウンセリングの結果とをカロリー情報履歴格納手段から取得し、該取得したカロリー情報の履歴と健康カウンセリングの結果とをカロリー閲覧端末に送信する閲覧情報送信手段と、を有することを特徴とするものである。
【００１７】
また、本発明にかかる健康管理装置において、カロリー情報履歴格納手段は、カロリー情報を、各移動体通信端末の識別情報とパスワードとに関連付けて格納しており、健康管理装置は、移動体通信端末からカロリー情報の履歴の取得要求と共にパスワードを受信した際に、該受信した取得要求先の移動体通信端末の識別情報とパスワードとに関連付けてカロリー情報履歴格納手段に格納されているカロリー情報の履歴を取得し、該取得したカロリー情報の履歴を移動体通信端末に送信し、移動体通信端末から健康カウンセリングの要求と共にパスワードを受信した際に、該受信した取得要求先の移動体通信端末の識別情報とパスワードとに関連付けてカロリー情報履歴格納手段に格納されているカロリー情報の履歴を取得し、該取得したカロリー情報の履歴と健康カウンセリングの要求とを健康カウンセリング装置に送信し、健康カウンセリング装置から健康カウンセリングの結果を受信し、該受信した健康カウンセリングの結果を識別情報とパスワードとに関連付けてカロリー情報履歴格納手段に格納し、健康カウンセリングの結果を移動体通信端末に送信し、カロリー閲覧端末からカロリー情報の取得要求とパスワードとを受信した際に、該受信した取得要求先の移動体通信端末の端末識別情報とパスワードとに関連付けてカロリー情報履歴格納手段に格納されているカロリー情報の履歴と健康カウンセリングの結果とを取得し、該取得したカロリー情報の履歴と健康カウンセリングの結果とをカロリー閲覧端末に送信することを特徴とするものである。
【００１８】
また、本発明にかかる健康管理装置は、移動体通信端末から健康カウンセリングの要求を受信した際に、該受信した健康カウンセリングの要求の内容を分析し、複数の専門家の中から健康カウンセリング要求に合致する最適な専門家を決定し、該決定した専門家の保持する健康カウンセリング装置に、カロリー情報の履歴と健康カウンセリングの要求とを送信することを特徴とするものである。
【００１９】
また、本発明にかかる健康カウンセリング装置は、カロリー情報を管理する健康管理装置とネットワークを介して接続し、カロリー情報を基に健康カウンセリングを行う健康カウンセリング装置であって、健康管理装置からカロリー情報の履歴と健康カウンセリングの要求とを受信した際に、該受信したカロリー情報の履歴と健康カウンセリングの要求内容とを基にカルテを作成し、該作成したカルテに健康カウンセリングの結果が書き込まれた健康カウンセリングの結果を健康管理装置に送信するカウンセリング手段を有することを特徴とするものである。
【００２０】
また、本発明にかかるカロリー閲覧端末は、移動体通信端末と、カロリー情報を管理する健康管理装置と、ネットワークを介して接続し、移動体通信端末を保持する利用者に最適なカロリー情報に関する情報が閲覧可能なカロリー閲覧端末であって、移動体通信端末からカロリー情報に関する情報の閲覧要求を受信した際に、健康管理装置にカロリー情報の取得要求を送信し、健康管理装置からカロリー情報の履歴と健康カウンセリングの結果とを取得し、該取得したカロリー情報の履歴と健康カウンセリングの結果とを基に、カロリー閲覧端末の具備する格納部から閲覧要求先の移動体通信端末の利用者に対して最適となるカロリー情報に関する情報を検索取得し、該取得したカロリー情報に関する情報を表示する表示手段を有することを特徴とするものである。
【００２１】
また、本発明にかかるカロリー閲覧端末は、移動体通信端末からカロリー情報に関する情報の閲覧要求を受信した際に、パスワードの入力要求を行い、パスワードが入力されたと判断した場合に、健康管理装置にカロリー情報の取得要求とパスワードとを送信し、健康管理装置からカロリー情報の履歴と健康カウンセリングの結果とを取得し、該取得したカロリー情報の履歴と健康カウンセリングの結果とを基に、カロリー閲覧端末の具備する格納部から閲覧要求先の移動体通信端末の利用者に対して最適となるカロリー情報に関する情報を検索取得し、該取得したカロリー情報に関する情報を表示することを特徴とするものである。
【００２２】
また、本発明にかかるカロリー閲覧端末は、閲覧要求先の移動体通信端末の利用者に対して最適となるカロリー情報に関する情報を印刷出力する印刷手段を有することを特徴とするものである。
【００２３】
また、本発明にかかるカロリー閲覧端末は、閲覧要求先の移動体通信端末の利用者に対して最適となるカロリー情報に関する情報を閲覧要求先の移動体通信端末に近距離無線通信にて送信する送信手段を有することを特徴とするものである。
【００２４】
また、本発明にかかる健康管理支援システムは、移動体通信端末と、カロリー情報を管理する健康管理装置と、利用者に最適なカロリー情報に関する情報が閲覧可能なカロリー閲覧端末と、健康カウンセリングを行う健康カウンセリング装置と、がネットワークを介して接続された健康管理支援システムであって、移動体通信端末は、消費カロリー情報と摂取カロリー情報とのカロリー情報を格納し、該格納したカロリー情報を健康管理装置に送信するカロリー情報送信手段と、送信したカロリー情報の履歴の取得要求を健康管理装置に送信し、健康管理装置からカロリー情報の履歴を取得するカロリー情報取得手段と、健康カウンセリングの要求を健康管理装置に送信し、健康カウンセリングの要求に応じた健康カウンセリングの結果を健康管理装置から取得する健康カウンセリング結果取得手段と、カロリー情報に関する情報の閲覧要求をカロリー閲覧端末に送信する推奨カロリー情報閲覧要求手段と、を有し、健康管理装置は、移動体通信端末から受信したカロリー情報を各移動体通信端末毎に区分して格納し、カロリー情報の履歴を管理するカロリー情報履歴格納手段と、移動体通信端末からカロリー情報の履歴の取得要求を受信した際に、該受信した取得要求先の移動体通信端末のカロリー情報の履歴をカロリー情報履歴格納手段から取得し、該取得したカロリー情報の履歴を移動体通信端末に送信するカロリー情報送信手段と、移動体通信端末から健康カウンセリングの要求を受信した際に、該受信した取得要求先の移動体通信端末のカロリー情報の履歴をカロリー情報履歴格納手段から取得し、該取得したカロリー情報の履歴と健康カウンセリングの要求とを健康カウンセリング装置に送信し、健康カウンセリング装置から健康カウンセリングの結果を受信し、該受信した健康カウンセリングの結果をカロリー情報履歴格納手段に格納し、健康カウンセリングの結果を移動体通信端末に送信する健康カウンセリング送信手段と、カロリー閲覧端末からカロリー情報の取得要求を受信した際に、該受信した取得要求先の移動体通信端末のカロリー情報の履歴と健康カウンセリングの結果とをカロリー情報履歴格納手段から取得し、該取得したカロリー情報の履歴と健康カウンセリングの結果とをカロリー閲覧端末に送信する閲覧情報送信手段と、を有し、健康カウンセリング装置は、健康管理装置からカロリー情報の履歴と健康カウンセリングの要求とを受信した際に、該受信したカロリー情報の履歴と健康カウンセリングの要求内容とを基にカルテを作成し、該作成したカルテに健康カウンセリングの結果が書き込まれた健康カウンセリングの結果を健康管理装置に送信するカウンセリング手段を有し、カロリー閲覧端末は、移動体通信端末からカロリー情報に関する情報の閲覧要求を受信した際に、健康管理装置にカロリー情報の取得要求を送信し、健康管理装置からカロリー情報の履歴と健康カウンセリングの結果とを取得し、該取得したカロリー情報の履歴と健康カウンセリングの結果とを基に、カロリー閲覧端末の具備する格納部から閲覧要求先の移動体通信端末の利用者に対して最適となるカロリー情報に関する情報を検索取得し、該取得したカロリー情報に関する情報を表示する表示手段を有することを特徴とするものである。
【００２５】
また、本発明にかかる健康管理支援システムにおいて、移動体通信端末は、情報記録媒体に記録された摂取カロリー情報や消費カロリー情報を読み取る読取手段を有し、読取手段により読み取られたカロリー情報を格納することを特徴とするものである。
【００２６】
また、本発明にかかる健康管理支援システムにおいて、移動体通信端末は、健康管理装置にアクセスし、健康管理装置にカロリー情報を格納するために必要な情報を健康管理装置に登録した際に、健康管理装置からアプリケーションプログラムを取得し、該取得したアプリケーションプログラムを用いて、摂取カロリー情報と消費カロリー情報とを格納することを特徴とするものである。
【００２７】
また、本発明にかかる健康管理支援システムにおいて、移動体通信端末は、カロリー情報に関する情報の閲覧要求を近距離無線通信にてカロリー閲覧端末に送信することを特徴とするものである。
【００２８】
また、本発明にかかる健康管理支援システムにおいて、移動体通信端末は、取得したアプリケーションプログラムを用いて、格納した摂取カロリー情報と消費カロリー情報とのカロリー情報を読み出し、１日の累積カロリー情報、１日の摂取カロリーまでに必要な残りの情報を含むカロリー情報をカロリー情報に関する情報の閲覧要求と共にカロリー閲覧端末に送信し、カロリー閲覧端末は、移動体通信端末から受信したカロリー情報と、カロリー情報の履歴と健康カウンセリングの結果とを基に、カロリー閲覧端末の具備する格納部から閲覧要求先の移動体通信端末の利用者に対して最適となるカロリー情報に関する情報を検索取得し、該取得したカロリー情報に関する情報を表示することを特徴とするものである。
【００２９】
また、本発明にかかる健康管理支援システムにおいて、健康管理装置は、カロリー情報を、各移動体通信端末の識別情報とパスワードとに関連付けてカロリー情報履歴格納手段に格納し、健康管理装置は、移動体通信端末からカロリー情報の履歴の取得要求と共にパスワードを受信した際に、該受信した取得要求先の移動体通信端末の識別情報とパスワードとに関連付けてカロリー情報履歴格納手段に格納されているカロリー情報の履歴を取得し、該取得したカロリー情報の履歴を移動体通信端末に送信し、移動体通信端末から健康カウンセリングの要求と共にパスワードを受信した際に、該受信した取得要求先の移動体通信端末の識別情報とパスワードとに関連付けてカロリー情報履歴格納手段に格納されているカロリー情報の履歴を取得し、該取得したカロリー情報の履歴と健康カウンセリングの要求とを健康カウンセリング装置に送信し、健康カウンセリング装置から健康カウンセリングの結果を受信し、該受信した健康カウンセリングの結果を識別情報とパスワードとに関連付けてカロリー情報履歴格納手段に格納し、健康カウンセリングの結果を移動体通信端末に送信することを特徴とするものである。
【００３０】
また、本発明にかかる健康管理支援システムにおいて、健康管理装置は、移動体通信端末から健康カウンセリングの要求を受信した際に、該受信した健康カウンセリングの要求の内容を分析し、複数の専門家の中から健康カウンセリング要求に合致する最適な専門家を決定し、該決定した専門家の保持する健康カウンセリング装置に、カロリー情報の履歴と健康カウンセリングの要求とを送信することを特徴とするものである。
【００３１】
また、本発明にかかる健康管理支援システムにおいて、カロリー閲覧端末は、移動体通信端末からカロリー情報に関する情報の閲覧要求を受信した際に、パスワードの入力要求を行い、パスワードが入力されたと判断した場合に、健康管理装置にカロリー情報の取得要求とパスワードとを送信し、健康管理装置は、カロリー閲覧端末からカロリー情報の取得要求とパスワードとを受信した際に、該受信した取得要求先の移動体通信端末の端末識別情報とパスワードとに関連付けてカロリー情報履歴格納手段に格納されているカロリー情報の履歴と健康カウンセリングの結果とを取得し、該取得したカロリー情報の履歴と健康カウンセリングの結果とをカロリー閲覧端末に送信することを特徴とするものである。
【００３２】
また、本発明にかかる健康管理支援システムにおいて、カロリー閲覧端末は、閲覧要求先の移動体通信端末の利用者に対して最適となるカロリー情報に関する情報を印刷出力する印刷手段を有することを特徴とするものである。
【００３３】
また、本発明にかかる健康管理支援システムにおいて、カロリー閲覧端末は、閲覧要求先の移動体通信端末の利用者に対して最適となるカロリー情報に関する情報を閲覧要求先の移動体通信端末に近距離無線通信にて送信し、移動体通信端末は、カロリー閲覧端末から閲覧要求先の移動体通信端末の利用者に対して最適となるカロリー情報に関する情報を近距離無線通信にて取得することを特徴とするものである。
【００３４】
また、本発明にかかる健康管理支援方法は、移動体通信端末と、カロリー情報を管理する健康管理装置と、利用者に最適なカロリー情報に関する情報が閲覧可能なカロリー閲覧端末と、健康カウンセリングを行う健康カウンセリング装置と、を用いて行う健康管理支援方法であって、移動体通信端末が、消費カロリー情報と摂取カロリー情報とのカロリー情報を移動体通信端末の具備する格納部に格納し、該格納したカロリー情報を健康管理装置に送信するカロリー情報送信工程と、健康管理装置が、移動体通信端末から受信したカロリー情報を各移動体通信端末毎に区分して健康管理装置の具備する格納部に格納し、カロリー情報の履歴を管理するカロリー情報履歴格納工程と、移動体通信端末が、カロリー情報の履歴の取得要求を健康管理装置に送信し、健康管理装置からカロリー情報の履歴を取得するカロリー情報取得工程と、健康管理装置が、移動体通信端末からカロリー情報の履歴の取得要求を受信した際に、該受信した取得要求先の移動体通信端末のカロリー情報の履歴を健康管理装置の具備する格納部から取得し、該取得したカロリー情報の履歴を移動体通信端末に送信するカロリー情報送信工程と、移動体通信端末が、健康カウンセリングの要求を健康管理装置に送信し、健康カウンセリングの要求に応じた健康カウンセリングの結果を健康管理装置から取得する健康カウンセリング結果取得工程と、健康管理装置が、移動体通信端末から健康カウンセリングの要求を受信した際に、該受信した取得要求先の移動体通信端末のカロリー情報の履歴を健康管理装置の具備する格納部から取得し、該取得したカロリー情報の履歴と健康カウンセリングの要求とを健康カウンセリング装置に送信し、健康カウンセリング装置から健康カウンセリングの結果を受信し、該受信した健康カウンセリングの結果を健康管理装置の具備する格納部に格納し、健康カウンセリングの結果を移動体通信端末に送信する健康カウンセリング送信工程と、健康カウンセリング装置が、健康管理装置からカロリー情報の履歴と健康カウンセリングの要求とを受信した際に、該受信したカロリー情報の履歴と健康カウンセリングの要求内容とを基にカルテを作成し、該作成したカルテに健康カウンセリングの結果が書き込まれた健康カウンセリングの結果を健康管理装置に送信するカウンセリング工程と、移動体通信端末が、カロリー情報に関する情報の閲覧要求をカロリー閲覧端末に送信する推奨カロリー情報閲覧要求工程と、カロリー閲覧端末が、移動体通信端末からカロリー情報に関する情報の閲覧要求を受信した際に、健康管理装置にカロリー情報の取得要求を送信し、健康管理装置からカロリー情報の履歴と健康カウンセリングの結果とを取得し、該取得したカロリー情報の履歴と健康カウンセリングの結果とを基に、カロリー閲覧端末の具備する格納部から閲覧要求先の移動体通信端末の利用者に対して最適となるカロリー情報に関する情報を検索取得し、該取得したカロリー情報に関する情報をカロリー閲覧端末の具備する表示部に表示する表示工程と、健康管理装置が、カロリー閲覧端末からカロリー情報の取得要求を受信した際に、該受信した取得要求先の移動体通信端末のカロリー情報の履歴と健康カウンセリングの結果とを健康管理装置の具備する格納部から取得し、該取得したカロリー情報の履歴と健康カウンセリングの結果とをカロリー閲覧端末に送信する閲覧情報送信工程と、を行うことを特徴とするものである。
【００３５】
また、本発明にかかる健康管理支援方法は、移動体通信端末が、情報記録媒体に記録された摂取カロリー情報や消費カロリー情報を読み取り、該読み取ったカロリー情報を移動体通信端末の具備する格納部に格納することを特徴とするものである。
【００３６】
また、本発明にかかる健康管理支援方法は、移動体通信端末が、健康管理装置にアクセスし、健康管理装置の具備する格納部にカロリー情報を格納するために必要な情報を健康管理装置に登録した際に、健康管理装置からアプリケーションプログラムを取得し、該取得したアプリケーションプログラムを用いて、摂取カロリー情報と消費カロリー情報とを格納する工程を行うことを特徴とするものである。
【００３７】
また、本発明にかかる健康管理支援方法は、移動体通信端末が、カロリー情報に関する情報の閲覧要求を近距離無線通信にてカロリー閲覧端末に送信することを特徴とするものである。
【００３８】
また、本発明にかかる健康管理支援方法は、移動体通信端末が、取得したアプリケーションプログラムを用いて、移動体通信端末の具備する格納部に格納した摂取カロリー情報と消費カロリー情報とのカロリー情報を読み出し、１日の累積カロリー情報、１日の摂取カロリーまでに必要な残りの情報を含むカロリー情報を、カロリー情報に関する情報の閲覧要求と共にカロリー閲覧端末に送信する工程と、カロリー閲覧端末が、移動体通信端末から受信したカロリー情報と、カロリー情報の履歴と健康カウンセリングの結果とを基に、カロリー閲覧端末の具備する格納部から閲覧要求先の移動体通信端末の利用者に対して最適となるカロリー情報に関する情報を検索取得し、該取得したカロリー情報に関する情報を表示する工程と、を行うことを特徴とするものである。
【００３９】
また、本発明にかかる健康管理支援方法は、健康管理装置が、カロリー情報を、各移動体通信端末の識別情報とパスワードとに関連付けて健康管理装置の具備する格納部に格納する工程と、健康管理装置が、移動体通信端末からカロリー情報の履歴の取得要求と共にパスワードを受信した際に、該受信した取得要求先の移動体通信端末の識別情報とパスワードとに関連付けて健康管理装置の具備する格納部に格納されているカロリー情報の履歴を取得し、該取得したカロリー情報の履歴を移動体通信端末に送信する工程と、健康管理装置が、移動体通信端末から健康カウンセリングの要求と共にパスワードを受信した際に、該受信した取得要求先の移動体通信端末の識別情報とパスワードとに関連付けて健康管理装置の具備する格納部に格納されているカロリー情報の履歴を取得し、該取得したカロリー情報の履歴と健康カウンセリングの要求とを健康カウンセリング装置に送信し、健康カウンセリング装置から健康カウンセリングの結果を受信し、該受信した健康カウンセリングの結果を識別情報とパスワードとに関連付けて健康管理装置の具備する格納部に格納し、健康カウンセリングの結果を移動体通信端末に送信する工程と、を行うことを特徴とするものである。
【００４０】
また、本発明にかかる健康管理支援方法は、健康管理装置が、移動体通信端末から健康カウンセリングの要求を受信した際に、該受信した健康カウンセリングの要求の内容を分析し、複数の専門家の中から健康カウンセリング要求に合致する最適な専門家を決定し、該決定した専門家の保持する健康カウンセリング装置に、カロリー情報の履歴と健康カウンセリングの要求とを送信する工程を行うことを特徴とするものである。
【００４１】
また、本発明にかかる健康管理支援方法は、カロリー閲覧端末が、移動体通信端末からカロリー情報に関する情報の閲覧要求を受信した際に、パスワードの入力要求を行い、パスワードが入力されたと判断した場合に、健康管理装置にカロリー情報の取得要求とパスワードとを送信する工程と、健康管理装置が、カロリー閲覧端末からカロリー情報の取得要求とパスワードとを受信した際に、該受信した取得要求先の移動体通信端末の端末識別情報とパスワードとに関連付けて健康管理装置の具備する格納部に格納されているカロリー情報の履歴と健康カウンセリングの結果とを取得し、該取得したカロリー情報の履歴と健康カウンセリングの結果とをカロリー閲覧端末に送信する工程と、を行うことを特徴とするものである。
【００４２】
また、本発明にかかる健康管理支援方法は、カロリー閲覧端末が、閲覧要求先の移動体通信端末の利用者に対して最適となるカロリー情報に関する情報を印刷出力する印刷工程を行うことを特徴とするものである。
【００４３】
また、本発明にかかる健康管理支援方法は、カロリー閲覧端末が、閲覧要求先の移動体通信端末の利用者に対して最適となるカロリー情報に関する情報を閲覧要求先の移動体通信端末に近距離無線通信にて送信する工程と、移動体通信端末が、カロリー閲覧端末から閲覧要求先の移動体通信端末の利用者に対して最適となるカロリー情報に関する情報を近距離無線通信にて取得する工程と、を行うことを特徴とするものである。
【発明の効果】
【００４４】
本発明にかかる移動体通信端末は、カロリー情報を管理する健康管理装置と、利用者に最適なカロリー情報に関する情報が閲覧可能なカロリー閲覧端末と、健康カウンセリングを行う健康カウンセリング装置と、ネットワークを介して接続された移動体通信端末であり、消費カロリー情報と摂取カロリー情報とのカロリー情報を格納し、該格納したカロリー情報を健康管理装置に送信し、その送信したカロリー情報の履歴の取得要求を健康管理装置に送信し、健康管理装置からカロリー情報の履歴を取得することになる。また、健康カウンセリングの要求を健康管理装置に送信し、健康カウンセリングの要求に応じた健康カウンセリングの結果を健康管理装置から取得することになる。また、カロリー情報に関する情報の閲覧要求をカロリー閲覧端末に送信し、カロリー閲覧端末から閲覧要求先の移動体通信端末の利用者に対して最適となるカロリー情報に関する情報を取得することになる。これにより、利用者に対する健康管理に汎用性を持たせたることが可能となる。
【００４５】
また、本発明にかかる健康管理装置は、移動体通信端末と、利用者に最適なカロリー情報に関する情報が閲覧可能なカロリー閲覧端末と、健康カウンセリングを行う健康カウンセリング装置と、ネットワークを介して接続し、カロリー情報を管理する健康管理装置であり、移動体通信端末からカロリー情報を受信し、該受信したカロリー情報を、各移動体通信端末毎に区分して健康管理装置の具備する格納部に格納し、カロリー情報の履歴を管理することになる。そして、移動体通信端末からカロリー情報の履歴の取得要求を受信した際に、該受信した取得要求先の移動体通信端末のカロリー情報の履歴を格納部から取得し、該取得したカロリー情報の履歴を移動体通信端末に送信することになる。また、移動体通信端末から健康カウンセリングの要求を受信した際に、該受信した取得要求先の移動体通信端末のカロリー情報の履歴を格納部から取得し、該取得したカロリー情報の履歴と健康カウンセリングの要求とを健康カウンセリング装置に送信し、健康カウンセリング装置から健康カウンセリングの結果を受信し、該受信した健康カウンセリングの結果を格納部に格納し、健康カウンセリングの結果を移動体通信端末に送信することになる。また、カロリー閲覧端末からカロリー情報の取得要求を受信した際に、該受信した取得要求先の移動体通信端末のカロリー情報の履歴と健康カウンセリングの結果とを格納部から取得し、該取得したカロリー情報の履歴と健康カウンセリングの結果とをカロリー閲覧端末に送信することになる。これにより、利用者に対する健康管理に汎用性を持たせたることが可能となる。
【００４６】
また、本発明にかかる健康カウンセリング装置は、カロリー情報を管理する健康管理装置とネットワークを介して接続し、カロリー情報を基に健康カウンセリングを行う健康カウンセリング装置であり、健康管理装置からカロリー情報の履歴と健康カウンセリングの要求とを受信した際に、該受信したカロリー情報の履歴と健康カウンセリングの要求内容とを基にカルテを作成し、該作成したカルテに健康カウンセリングの結果が書き込まれた健康カウンセリングの結果を健康管理装置に送信することになる。これにより、健康管理装置が、健康カウンセリングの結果を移動体通信端末に送信することになり、利用者に対する健康管理に汎用性を持たせたることが可能となる。
【００４７】
また、本発明にかかるカロリー閲覧端末は、移動体通信端末と、カロリー情報を管理する健康管理装置と、ネットワークを介して接続し、移動体通信端末を保持する利用者に最適なカロリー情報に関する情報が閲覧可能なカロリー閲覧端末であり、移動体通信端末からカロリー情報に関する情報の閲覧要求を受信した際に、健康管理装置にカロリー情報の取得要求を送信し、健康管理装置からカロリー情報の履歴と健康カウンセリングの結果とを取得し、該取得したカロリー情報の履歴と健康カウンセリングの結果とを基に、カロリー閲覧端末の具備する格納部から閲覧要求先の移動体通信端末の利用者に対して最適となるカロリー情報に関する情報を検索取得し、該取得したカロリー情報に関する情報を表示することになる。これにより、利用者に対する健康管理に汎用性を持たせたることが可能となる。
【００４８】
また、本発明にかかる健康管理支援システム及び健康管理支援方法は、移動体通信端末と、カロリー情報を管理する健康管理装置と、利用者に最適なカロリー情報に関する情報が閲覧可能なカロリー閲覧端末と、健康カウンセリングを行う健康カウンセリング装置と、を有し、移動体通信端末が、消費カロリー情報と摂取カロリー情報とのカロリー情報を移動体通信端末の具備する格納部に格納し、該格納したカロリー情報を健康管理装置に送信する。また、健康管理装置が、移動体通信端末から受信したカロリー情報を各移動体通信端末毎に区分して健康管理装置の具備する格納部に格納し、カロリー情報の履歴を管理する。また、移動体通信端末が、カロリー情報の履歴の取得要求を健康管理装置に送信し、健康管理装置からカロリー情報の履歴を取得する。また、健康管理装置が、移動体通信端末からカロリー情報の履歴の取得要求を受信した際に、該受信した取得要求先の移動体通信端末のカロリー情報の履歴を健康管理装置の具備する格納部から取得し、該取得したカロリー情報の履歴を移動体通信端末に送信する。また、移動体通信端末が、健康カウンセリングの要求を健康管理装置に送信し、健康カウンセリングの要求に応じた健康カウンセリングの結果を健康管理装置から取得する。また、健康管理装置が、移動体通信端末から健康カウンセリングの要求を受信した際に、該受信した取得要求先の移動体通信端末のカロリー情報の履歴を健康管理装置の具備する格納部から取得し、該取得したカロリー情報の履歴と健康カウンセリングの要求とを健康カウンセリング装置に送信し、健康カウンセリング装置から健康カウンセリングの結果を受信し、該受信した健康カウンセリングの結果を健康管理装置の具備する格納部に格納し、健康カウンセリングの結果を移動体通信端末に送信する。また、健康カウンセリング装置が、健康管理装置からカロリー情報の履歴と健康カウンセリングの要求とを受信した際に、該受信したカロリー情報の履歴と健康カウンセリングの要求内容とを基にカルテを作成し、該作成したカルテに健康カウンセリングの結果が書き込まれた健康カウンセリングの結果を健康管理装置に送信する。また、移動体通信端末が、カロリー情報に関する情報の閲覧要求をカロリー閲覧端末に送信する。また、カロリー閲覧端末が、移動体通信端末からカロリー情報に関する情報の閲覧要求を受信した際に、健康管理装置にカロリー情報の取得要求を送信し、健康管理装置からカロリー情報の履歴と健康カウンセリングの結果とを取得し、該取得したカロリー情報の履歴と健康カウンセリングの結果とを基に、カロリー閲覧端末の具備する格納部から閲覧要求先の移動体通信端末の利用者に対して最適となるカロリー情報に関する情報を検索取得し、該取得したカロリー情報に関する情報をカロリー閲覧端末の具備する表示部に表示する。また、健康管理装置が、カロリー閲覧端末からカロリー情報の取得要求を受信した際に、該受信した取得要求先の移動体通信端末のカロリー情報の履歴と健康カウンセリングの結果とを健康管理装置の具備する格納部から取得し、該取得したカロリー情報の履歴と健康カウンセリングの結果とをカロリー閲覧端末に送信する。これにより、利用者に対する健康管理に汎用性を持たせたることが可能となる。
【発明を実施するための最良の形態】
【００４９】
まず、図１を参照しながら、本発明にかかる健康管理支援システムの特徴について説明する。
【００５０】
本発明にかかる健康管理支援システムは、移動体通信端末（１０）と、カロリー情報を管理する健康管理装置（２０）と、健康カウンセリングを行う健康カウンセリング装置（３０）と、利用者に最適なカロリー情報に関する情報が閲覧可能なカロリー閲覧端末（４０）と、がネットワーク（１００）を介して接続されたシステムであり、移動体通信端末（１０）が、消費カロリー情報と摂取カロリー情報とのカロリー情報を移動体通信端末（１０）の具備する格納部に格納し、該格納したカロリー情報を健康管理装置（２０）に送信する。そして、健康管理装置（２０）が、移動体通信端末（１０）から受信したカロリー情報を各移動体通信端末（１０）毎に区分して健康管理装置（２０）の具備する格納部（２１）に格納し、カロリー情報の履歴を管理することになる。
【００５１】
そして、移動体通信端末（１０）が、カロリー情報の履歴の取得要求を健康管理装置（２０）に送信し、健康管理装置（２０）が、移動体通信端末（１０）からカロリー情報の履歴の取得要求を受信した際に、該受信した取得要求先の移動体通信端末（１０）のカロリー情報の履歴を健康管理装置（２０）の具備する格納部（２１）から取得し、該取得したカロリー情報の履歴を移動体通信端末（１０）に送信する。これにより、移動体通信端末（１０）が、健康管理装置（２０）からカロリー情報の履歴を取得することになる。
【００５２】
また、移動体通信端末（１０）が、健康カウンセリングの要求を健康管理装置（２０）に送信し、健康管理装置（２０）が、移動体通信端末（１０）から健康カウンセリングの要求を受信した際に、該受信した取得要求先の移動体通信端末（１０）のカロリー情報の履歴を健康管理装置（２０）の具備する格納部（２１）から取得し、該取得したカロリー情報の履歴と健康カウンセリングの要求とを健康カウンセリング装置（３０）に送信する。そして、健康カウンセリング装置（３０）が、健康管理装置（２０）からカロリー情報の履歴と健康カウンセリングの要求とを受信した際に、該受信したカロリー情報の履歴と健康カウンセリングの要求内容とを基にカルテを作成し、該作成したカルテに健康カウンセリングの結果が書き込まれた健康カウンセリングの結果を健康管理装置（２０）に送信する。そして、健康管理装置（２０）が健康カウンセリング装置（３０）から健康カウンセリングの結果を受信した際に、その受信した健康カウンセリングの結果を健康管理装置（２０）の具備する格納部（２１）に格納し、その健康カウンセリングの結果を移動体通信端末（１０）に送信する。これにより、移動体通信端末（１０）が健康カウンセリングの要求に応じた健康カウンセリングの結果を健康管理装置（２０）から取得することになる。
【００５３】
また、移動体通信端末（１０）が、カロリー情報に関する情報の閲覧要求をカロリー閲覧端末（４０）に送信する。そして、カロリー閲覧端末（４０）が、移動体通信端末（１０）からカロリー情報に関する情報の閲覧要求を受信した際に、健康管理装置（２０）にカロリー情報の取得要求を送信する。そして、健康管理装置（２０）が、カロリー閲覧端末（４０）からカロリー情報の取得要求を受信した際に、該受信した取得要求先の移動体通信端末（１０）のカロリー情報の履歴と健康カウンセリングの結果とを健康管理装置（２０）の具備する格納部（２１）から取得し、該取得したカロリー情報の履歴と健康カウンセリングの結果とをカロリー閲覧端末（４０）に送信する。これにより、カロリー閲覧端末（４０）が、健康管理装置（２０）からカロリー情報の履歴と健康カウンセリングの結果とを取得し、該取得したカロリー情報の履歴と健康カウンセリングの結果とを基に、カロリー閲覧端末（４０）の具備する格納部から閲覧要求先の移動体通信端末の利用者に対して最適となるカロリー情報に関する情報を検索取得し、該取得したカロリー情報に関する情報をカロリー閲覧端末（４０）の具備する表示部に表示することになる。
【実施例】
【００５４】
以下、添付図面を参照しながら、本発明にかかる健康管理支援システムについて説明する。
【００５５】
まず、図１を参照しながら、本発明にかかる健康管理支援システムのシステム構成について説明する。
【００５６】
本発明にかかる健康管理支援システムは、移動体通信端末装置（１０）と、健康情報管理装置（２０）と、健康情報カウンセリング装置（３０）と、カロリー情報閲覧端末装置（４０）と、がネットワーク（１００）を介して接続されたシステムである。
【００５７】
（移動体通信端末装置（１０））
移動体通信端末装置（１０）は、健康管理を行う利用者が保持する通信端末装置であり、利用者が摂取する食品の摂取カロリー情報や、利用者が消費する消費カロリー情報を移動体通信端末装置（１０）の具備する格納部に格納し、利用者のカロリー情報を格納管理することになる。そして、格納部に格納した摂取カロリー情報と消費カロリー情報とを定期的に健康情報管理装置（２０）に送信することになる。
【００５８】
（健康情報管理装置（２０））
健康情報管理装置（２０）は、移動体通信端末装置（１０）を保持する利用者のカロリー情報の履歴を管理する情報処理装置であり、移動体通信端末装置（１０）から送信されたカロリー情報を健康情報管理装置（２０）の具備するカロリー情報データベース（２１）に各移動体通信端末装置（１０）毎に区分して管理することになる。
【００５９】
（健康情報カウンセリング装置（３０））
健康情報カウンセリング装置（３０）は、移動体通信端末装置（１０）を保持する利用者の健康管理のカウンセリングを行う情報処理装置であり、健康情報管理装置（２０）から健康カウンセリングの要求を受信した際に、その受信した健康カウンセリングの要求内容に応じた健康カウンセリングを行うことになる。
【００６０】
（カロリー情報閲覧端末装置（４０））
カロリー情報閲覧端末装置（４０）は、移動体通信端末装置（１０）を保持する利用者に対して最適なアドバイス情報を提供する情報処理装置であり、移動体通信端末装置（１０）から推奨カロリー情報の閲覧要求を受信した際に、移動体通信端末装置（１０）を保持する利用者に最適な推奨摂取カロリーに関する情報や、推奨消費カロリーに関する情報を利用者に提供することになる。
【００６１】
次に、図２を参照しながら、図１に示唆する健康管理支援システムにおける処理動作について説明する。
【００６２】
なお、本発明にかかる健康管理支援システムを利用する場合には、利用者が移動体通信端末装置（１０）を用いて健康情報管理装置（２０）にアクセスし、健康管理支援システムを利用する際に必要な情報を健康情報管理装置（２０）に登録することになる（ステップＳ１）。
【００６３】
健康管理支援システムを利用する際に必要な情報としては、利用者の身長や、体重、性別等の各利用者に応じた１日の摂取カロリー情報と消費カロリー情報との要因となる利用者情報と、利用者の保持する移動体通信端末装置（１０）を識別するための端末装置識別情報と、健康情報管理装置（２０）にて管理する情報に対するアクセス権となるパスワードと、が挙げられる。
【００６４】
健康情報管理装置（２０）は、移動体通信端末装置（１０）から、上記の利用者情報と、端末装置識別情報と、パスワードと、の情報が登録されたと判断すると、健康情報管理装置（２０）は、その移動体通信端末装置（１０）から登録された情報を、健康情報管理装置（２０）の具備するカロリー情報データベース（２１）に格納することになる。なお、カロリー情報データベース（２１）のデータ構成を図３に示唆する。カロリー情報データベース（２１）は、図３に示唆するように、移動体通信端末装置（１０）を識別するための端末装置識別情報毎に、パスワードと利用者情報とが格納されることになる。
【００６５】
そして、健康情報管理装置（２０）は、健康管理支援システムを利用する際に必要となる情報の登録が完了したと判断した場合に、健康情報管理装置（２０）は、移動体通信端末装置（１０）においてカロリー情報を管理するためのカロリー管理アプリケーションプログラムを移動体通信端末装置（１０）に送信することになる（ステップＳ２）。移動体通信端末装置（１０）は、健康情報管理装置（２０）から送信されたカロリー管理アプリケーションプログラムを受信し、その受信したカロリー管理アプリケーションプログラムを移動体通信端末装置（１０）の具備する格納部に格納することになる（ステップＳ３）。
【００６６】
これにより、利用者は、移動体通信端末装置（１０）を用いて移動体通信端末装置（１０）の具備する格納部に格納したカロリー管理アプリケーションプログラムを読み出し、そのカロリー管理アプリケーションプログラムを用いて１日の摂取カロリー情報と消費カロリー情報とを移動体通信端末装置（１０）において格納管理することが可能となる（ステップＳ４）。以下に、移動体通信端末装置（１０）を用いて摂取カロリー情報と消費カロリー情報とを移動体通信端末装置（１０）において格納管理する際の処理動作について説明する。
【００６７】
（摂取カロリー情報の格納管理処理）
まず、移動体通信端末装置（１０）において摂取カロリー情報を管理する際の処理動作について説明する。
【００６８】
まず、利用者がカロリーを摂取する際に、利用者は、その摂取カロリー情報を移動体通信端末装置（１０）に入力することになる。移動体通信端末装置（１０）に摂取カロリー情報を入力する方法としては、食品やメニュー等に、摂取カロリー情報が記録されたバーコード等の情報記録媒体が添付されている場合には、移動体通信端末装置（１０）の具備する読み取り装置を用いて、情報記録媒体に記録された摂取カロリー情報を読み取り、その読み取られたカロリー情報を移動体通信端末装置（１０）に入力することになる。
【００６９】
移動体通信端末装置（１０）は、摂取カロリー情報が移動体通信端末装置（１０）に入力されたと判断した場合は、カロリー管理アプリケーションプログラムを格納部から読み出し、移動体通信端末装置（１０）は、そのカロリー管理アプリケーションプログラムを用いて、移動体通信端末装置（１０）が情報記録媒体から取得した摂取カロリー情報と、その摂取カロリー情報を加算した１日の累積摂取カロリー情報と、1日の基準摂取カロリーまでに必要な残りの摂取カロリー情報と、を移動体通信端末装置（１０）の具備する表示部上に表示することになる。
【００７０】
また、食品やメニュー等に情報記録媒体が添付されていない場合には、利用者は、移動体通信端末装置（１０）の具備する操作部を用いて、移動体通信端末装置（１０）の具備する格納部に格納されたカロリー管理アプリケーションプログラムを読み出し、移動体通信端末装置（１０）の具備する操作部を用いて摂取カロリー情報を移動体通信端末装置（１０）に入力することになり、移動体通信端末装置（１０）は、そのカロリー管理アプリケーションプログラムを用いて、移動体通信端末装置（１０）に入力された摂取カロリー情報と、その摂取カロリー情報を加算した１日の累積摂取カロリー情報と、1日の基準摂取カロリーまでに必要な残りの摂取カロリー情報と、を移動体通信端末装置（１０）の具備する表示部上に表示することになる。
【００７１】
そして、移動体通信端末装置（１０）の具備する表示部上に表示された摂取カロリー情報を、移動体通信端末装置（１０）の具備する格納部に格納する場合は、利用者が操作部を用いて所定の操作を行いカロリー情報の登録処理を行うことで、移動体通信端末装置（１０）は、表示部上に表示した摂取カロリー情報を移動体通信端末装置（１０）の具備する格納部に格納することになる。これにより、移動体通信端末装置（１０）の具備する格納部において摂取カロリー情報を格納管理することになる。
【００７２】
（消費カロリー情報の格納管理処理）
次に、移動体通信端末装置（１０）において消費カロリー情報を格納管理する際の処理動作について説明する。
【００７３】
まず、利用者は、万歩計（登録商標）機能を使用する場合は、移動体通信端末装置（１０）の具備する操作部を用いて、移動体通信端末装置（１０）の具備する格納部に格納されたカロリー管理アプリケーションプログラムを読み出し、移動体通信端末装置（１０）の具備する操作部を用いて万歩計（登録商標）機能をＯＮに設定することになる。
【００７４】
移動体通信端末装置（１０）は、万歩計（登録商標）機能がＯＮに設定された場合に、その万歩計（登録商標）機能により算出された消費カロリー情報を、移動体通信端末装置（１０）に登録することになり、移動体通信端末装置（１０）は、移動体通信端末装置（１０）の具備する振動検知手段（図示せず）が所定の閾値以上の振動を検知した場合に、その振動をカウントすることになる。そして、移動体通信端末装置（１０）は、その振動検知手段が検知した振動のカウント数に応じた消費カロリー情報を移動体通信端末装置（１０）の具備する表示部上に表示することになる。そして、利用者が移動体通信端末装置（１０）の具備する操作部を操作し、万歩計（登録商標）機能をＯＦＦに設定した際に、移動体通信端末装置（１０）は、万歩計（登録商標）機能により算出した消費カロリー情報を移動体通信端末装置（１０）の具備する格納部に格納することになる。これにより、移動体通信端末装置（１０）を保持する利用者の消費カロリー情報が移動体通信端末装置（１０）において動的に算出されることになり、その算出された消費カロリー情報が移動体通信端末装置（１０）の具備する格納部に格納されることになる。これにより、移動体通信端末装置（１０）の具備する格納部において消費カロリー情報を格納管理することになる。
【００７５】
また、スポーツジム、カラオケ等に消費カロリー情報が記録されたバーコード等の情報記録媒体がある場合には、利用者は、移動体通信端末装置（１０）の具備する読み取り装置を用いて、情報記録媒体に記録された消費カロリー情報を読み取り、その読み取られた消費カロリー情報を移動体通信端末装置（１０）に入力することになる。
【００７６】
移動体通信端末装置（１０）は、消費カロリー情報が入力されたと判断した場合に、移動体通信端末装置（１０）は、健康情報管理装置（２０）から取得したカロリー管理アプリケーションプログラムを格納部から読み出し、移動体通信端末装置（１０）は、そのカロリー管理アプリケーションプログラムを用いて、移動体通信端末装置（１０）が情報記録媒体から取得した消費カロリー情報と、その消費カロリー情報を加算した１日の累積消費カロリー情報と、を移動体通信端末装置（１０）の具備する表示部上に表示することになる。この時、１日の累積摂取カロリー情報と、1日の基準摂取カロリーまでに必要な残りの摂取カロリー情報と、を表示部上に表示することも可能である。
【００７７】
また、スポーツジム、カラオケ等に情報記録媒体がない場合には、利用者は、移動体通信端末装置（１０）の具備する操作部を用いて、移動体通信端末装置（１０）の具備する格納部に格納されたカロリー管理アプリケーションプログラムを読み出し、利用者は、移動体通信端末装置（１０）の具備する操作部を用いて消費カロリー情報を移動体通信端末装置（１０）に入力することになり、移動体通信端末装置（１０）は、そのカロリー管理アプリケーションプログラムを用いて、移動体通信端末装置（１０）に入力された消費カロリー情報と、その消費カロリー情報を加算した１日の累積消費カロリー情報と、を移動体通信端末装置（１０）の具備する表示部上に表示することになる。この時、１日の累積摂取カロリー情報と、1日の基準摂取カロリーまでに必要な残りの摂取カロリー情報と、を表示部上に表示することも可能である。
【００７８】
そして、移動体通信端末装置（１０）の具備する表示部上に表示された消費カロリー情報を移動体通信端末装置（１０）の具備する格納部に格納する場合は、利用者が操作部を用いて所定の操作を行いカロリー情報の登録処理を行うことで、移動体通信端末装置（１０）は、表示部上に表示した消費カロリー情報を移動体通信端末装置（１０）の具備する格納部に格納することになる。これにより、移動体通信端末装置（１０）の具備する格納部において消費カロリー情報を格納管理することになる。
【００７９】
なお、利用者は、移動体通信端末装置（１０）の具備する操作部を用いて、移動体通信端末装置（１０）の具備する格納部に格納されたカロリー管理アプリケーションプログラムを読み出し、カロリー情報の参照処理を行うことで、移動体通信端末装置（１０）の具備する格納部に格納した摂取カロリー情報と消費カロリー情報とを、移動体通信端末装置（１０）の具備する表示部上に表示させることになる。これにより、利用者は、移動体通信端末装置（１０）に登録された摂取カロリー情報と消費カロリー情報とを移動体通信端末装置（１０）の具備する表示部において参照することが可能となる。
【００８０】
次に、移動体通信端末装置（１０）は、移動体通信端末装置（１０）の具備する格納部に格納した摂取カロリー情報と消費カロリー情報とを、移動体通信端末装置（１０）とネットワーク（１００）を介して接続された健康情報管理装置（２０）に定期的（１日、１週間等）に送信することになり（ステップＳ５）、移動体通信端末装置（１０）は、予め設定された所定の期間が経過したと判断した場合に、移動体通信端末装置（１０）の具備する格納部に格納された摂取カロリー情報と消費カロリー情報とを自動的に健康情報管理装置（２０）に送信することになる。そして、移動体通信端末装置（１０）の具備する格納部に格納された摂取カロリー情報と消費カロリー情報とが健康情報管理装置（２０）に送信されたと判断した場合に、移動体通信端末装置（１０）は、その格納部に格納した摂取カロリー情報と消費カロリー情報とを消去し、次のカロリー情報の格納管理に備えることになる。これにより、移動体通信端末装置（１０）において、カロリー管理アプリケーションプログラムを用いて、摂取カロリー情報と、消費カロリー情報と、を再び格納管理することになり、上記ステップＳ４の処理動作を繰り返すことになる。
【００８１】
健康情報管理装置（２０）は、移動体通信端末装置（１０）から送信された摂取カロリー情報と消費カロリー情報とを受信し、その受信した摂取カロリー情報と消費カロリー情報とを、送信先の移動体通信端末装置（１０）の端末装置識別情報毎に区分して健康情報管理装置（２０）の具備するカロリー情報データベース（２１）に格納することになる（ステップＳ６）。これにより、健康情報管理装置（２０）は、各移動体通信端末装置（１０）から送信された摂取カロリー情報と消費カロリー情報とのカロリー情報の履歴を各移動体通信端末装置（１０）の端末装置識別情報毎に区分してカロリー情報データベース（２１）にて管理することになる。なお、カロリー情報データベース（２１）のデータ構成を図４に示唆する。
【００８２】
カロリー情報データベース（２１）は、図４に示唆するように、移動体通信端末装置（１０）を識別するための端末装置識別情報毎に、パスワードと、利用者情報と、移動体通信端末装置（１０）から送信される摂取カロリー情報と消費カロリー情報とのカロリー情報の履歴（カロリー情報ａ１、ａ２、・・）と、が格納されることになる。なお、パスワードは、カロリーデータベース（２１）にて各端末装置識別情報毎に区分して管理する情報に対するアクセス権となるものである。また、利用者情報は、利用者の身長や、体重、性別等の各利用者に応じた１日の摂取カロリー情報と消費カロリー情報との要因となる情報である。
【００８３】
（健康情報管理装置（２０）で管理するカロリー情報の参照処理）
次に、図５を参照しながら、利用者が移動体通信端末装置（１０）を用いて健康情報管理装置（２０）で管理するカロリー情報の履歴を参照する際の処理動作について説明する。
【００８４】
まず、利用者は、移動体通信端末装置（１０）を用いて健康情報管理装置（２０）にアクセスし、移動体通信端末装置（１０）は、カロリー情報の取得要求と、カロリー情報を取得する際に必要となるパスワードと、を健康情報管理装置（２０）に送信することになる（ステップＳ１１）。
【００８５】
健康情報管理装置（２０）は、移動体通信端末装置（１０）からカロリー情報の取得要求とパスワードとを受信した際に、健康情報管理装置（２０）の具備するカロリー情報データベース（２１）を検索取得することになり（ステップＳ１２）、健康情報管理装置（２０）は、取得要求先の移動体通信端末装置（１０）の端末装置識別情報とパスワードとに関連付けてカロリー情報データベース（２１）に格納されているカロリー情報の履歴があるか否かを判定することになる。
【００８６】
健康情報管理装置（２０）は、取得要求先の移動体通信端末装置（１０）の端末装置識別情報とパスワードとに関連付けてカロリー情報データベース（２１）に格納されているカロリー情報の履歴があると判定した場合は、健康情報管理装置（２０）は、そのカロリー情報の履歴をカロリー情報データベース（２１）から取得し、その取得したカロリー情報の履歴を、端末装置識別情報を基に、カロリー情報の取得要求先の移動体通信端末装置（１０）に送信することになる（ステップＳ１３）。
【００８７】
移動体通信端末装置（１０）は、取得要求に応じたカロリー情報の履歴を健康情報管理装置（２０）から受信した場合に、その受信したカロリー情報の履歴を移動体通信端末装置（１０）の具備する表示部上に表示することになる（ステップＳ１４）。これにより、利用者は、移動体通信端末装置（１０）の具備する表示部上でカロリー情報の履歴を参照することが可能となる。
【００８８】
なお、利用者が移動体通信端末装置（１０）の具備する表示部上でカロリー情報の履歴を参照する際に、操作部を用いて参照形式を選択すると、移動体通信端末装置（１０）は、健康情報管理装置（２０）から受信したカロリー情報の履歴を、操作部から選択された参照形式のデータ（ビュー）形式に変更し、表示部上に表示することになる。これにより、利用者の所望するデータ形式に変換してカロリー情報を表示部上で参照することが可能となる。
【００８９】
また、健康情報管理装置（２０）は、取得要求先の移動体通信端末装置（１０）の端末装置識別情報とパスワードとに対応してカロリー情報データベース（２１）に格納されているカロリー情報の履歴がないと判定した場合は、健康情報管理装置（２０）は、取得要求先の移動体通信端末装置（１０）の端末装置識別情報とパスワードとに対応したカロリー情報の履歴がない旨のエラー情報を、端末装置識別情報を基に、取得要求先の移動体通信端末装置（１０）に送信することになり、移動体通信端末装置（１０）は、健康情報管理装置（２０）から受信したエラー情報を移動体通信端末装置（１０）の具備する表示部上に表示することになる。これにより、利用者は、健康情報管理装置（２０）からカロリー情報の履歴を取得出来ない旨を移動体通信端末装置（１０）の具備する表示部上で把握することが可能となる。
【００９０】
（健康カウンセリング装置（３０）で健康カウンセリングを受ける際の処理動作）
次に、図６を参照しながら、移動体通信端末装置（１０）を用いて健康カウンセリング装置（３０）での健康カウンセリングを受ける場合の処理動作について説明する。
【００９１】
まず、利用者は、移動体通信端末装置（１０）を用いて、移動体通信端末装置（１０）とネットワーク（１００）を介して接続された健康情報管理装置（２０）にアクセスし、移動体通信端末装置（１０）は、健康カウンセリング要求とパスワードとを健康情報管理装置（２０）に送信することになる（ステップＳ２１）。
【００９２】
健康情報管理装置（２０）は、移動体通信端末装置（１０）から健康カウンセリング要求とパスワードとを受信した際に、健康情報管理装置（２０）の具備するカロリー情報データベース（２１）を検索取得することになり（ステップＳ２２）、健康情報管理装置（２０）は、健康カウンセリング要求先の移動体通信端末装置（１０）の端末装置識別情報とパスワードとに関連付けたカロリー情報の履歴がカロリー情報データベース（２１）に格納されているか否かを判定することになる。
【００９３】
健康情報管理装置（２０）は、健康カウンセリング要求先の移動体通信端末装置（１０）の端末装置識別情報とパスワードとに関連付けたカロリー情報の履歴がカロリー情報データベース（２１）に格納されていると判定した場合は、健康情報管理装置（２０）は、そのカロリー情報の履歴と利用者情報とをカロリー情報データベース（２１）から取得することになる。そして、健康情報管理装置（２０）は、移動体通信端末装置（１０）から受信した健康カウンセリング要求の内容を分析し、複数の専門家（医師、栄養士など）の中から健康カウンセリング要求に合致する専門家を割り当てることになり、健康情報管理装置（２０）は、健康カウンセリング要求に最適な健康カウンセリング装置（３０）を所有する専門家を決定することになる（ステップＳ２３）。
【００９４】
次に、健康情報管理装置（２０）は、その健康カウンセリング要求と、カロリー情報データベース（２１）から取得したカロリー情報の履歴と利用者情報と、端末装置識別情報と、をその健康カウンセリング要求に合致する最適な専門家の健康管理カウンセリング装置（３０）に送信することになる（ステップＳ２４）。
【００９５】
健康カウンセリング装置（３０）は、健康情報管理装置（２０）から送信された健康カウンセリング要求と、カロリー情報の履歴と利用者情報と、端末装置識別情報と、を受信し、健康カウンセリング装置（３０）は、その受信した健康カウンセリング要求と、カロリー情報の履歴と利用者情報と、端末装置識別情報と、を基に、端末装置識別情報毎にカルテを作成することになる（ステップＳ２５）。そして、健康カウンセリング装置（３０）を所有する専門家は、その健康カウンセリング装置（３０）が作成したカルテを基に、カウンセリングを実施し、そのカウンセリングの結果を健康カウンセリング装置（３０）に入力し、健康カウンセリング装置（３０）は、その入力されたカウンセリングの結果情報をカルテに書き込むことになる。そして、健康カウンセリング装置（３０）は、そのカウンセリングの結果情報が書き込まれたカルテを健康情報管理装置（２０）に送信することになる（ステップＳ２６）。
【００９６】
健康情報管理装置（２０）は、健康カウンセリングの結果情報が書き込まれたカルテを健康カウンセリング装置（３０）から受信し、健康情報管理装置（２０）は、その受信した健康カウンセリングの結果情報が書き込まれたカルテを端末装置識別情報毎に区分してカロリー情報データベース（２１）に格納することになる（ステップＳ２７）。
【００９７】
また、健康情報管理装置（２０）は、カロリー情報データベース（２１）にカルテを格納した端末装置識別情報の移動体通信端末装置（１０）に対し、健康カウンセリングの結果がカロリー情報データベース（２１）に格納された旨の情報を送信し、健康カウンセリング要求先の移動体通信端末装置（１０）に対して健康カウンセリングが完了した旨を通知することになる（ステップＳ２８）。
【００９８】
移動体通信端末装置（１０）は、健康情報管理装置（２０）から健康カウンセリングが完了した旨の通知を受信し、利用者が、健康カウンセリングの結果情報を健康情報管理装置（２０）から取得したい場合は、移動体通信端末装置（１０）を用いて、健康情報管理装置（２０）にアクセスし、移動体通信端末装置（１０）は、健康カウンセリングの結果情報の取得要求と、パスワードと、を送信することになる（ステップＳ２９）。
【００９９】
健康情報管理装置（２０）は、移動体通信端末装置（１０）から健康カウンセリング結果情報の取得要求とパスワードとを受信した際に、健康情報管理装置（２０）の具備するカロリー情報データベース（２１）を検索取得することになり（ステップＳ３０）、健康情報管理装置（２０）は、健康カウンセリング要求先の移動体通信端末装置（１０）の端末装置識別情報とパスワードとに関連付けてカロリー情報データベース（２１）に格納されている健康カウンセリングの結果情報が書き込まれたカルテがあるか否かを判定することになる。
【０１００】
健康情報管理装置（２０）は、健康カウンセリング結果情報の取得要求先の移動体通信端末装置（１０）の端末装置識別情報とパスワードとに関連付けてカロリー情報データベース（２１）に格納されている健康カウンセリングの結果情報が書き込まれたカルテがあると判定した場合は、健康情報管理装置（２０）は、その健康カウンセリングの結果情報が書き込まれたカルテをカロリー情報データベース（２１）から取得することになる。そして、健康情報管理装置（２０）は、その取得した健康カウンセリングの結果情報が書き込まれたカルテを、端末装置識別情報を基に、健康カウンセリング結果情報の取得要求先の移動体通信端末装置（１０）に送信することになる（ステップＳ３１）。
【０１０１】
移動体通信端末装置（１０）は、健康カウンセリング結果情報の取得要求に応じた健康カウンセリングの結果情報が書き込まれたカルテを健康情報管理装置（２０）から受信した場合は、その受信した健康カウンセリングの結果情報が書き込まれたカルテを移動体通信端末装置（１０）の具備する表示部上に表示することになる。これにより、利用者は、移動体通信端末装置（１０）の具備する表示部上で健康カウンセリングの結果情報が書き込まれたカルテを参照することが可能となり、利用者の健康カウンセリングの結果情報を参照することが可能となる。
【０１０２】
また、移動体通信端末装置（１０）は、健康情報管理装置（２０）から健康カウンセリング結果情報を受信した際に、移動体通信端末装置（１０）の具備する格納部に格納されたカロリー管理アプリケーションプログラムを読み出し、健康情報管理装置（２０）から受信した健康カウンセリング結果情報を反映させた１日の基準摂取カロリー情報に更新することになる。これにより、利用者は、健康カウンセリング結果の情報が反映された適切な推奨摂取カロリー情報を基に移動体通信端末装置（１０）においてカロリー管理を行うことが可能となる。なお、移動体通信端末装置（１０）は、健康カウンセリング結果の情報が反映された適切な推奨摂取カロリー情報を、移動体通信端末装置の具備する格納部に格納された摂取カロリー情報と消費カロリー情報とのカロリー情報と共に、健康情報管理装置（２０）に送信し、健康情報管理装置（２０）の具備するカロリー情報データベース（２１）においてカロリー情報の履歴と共に推奨摂取カロリー情報を格納することも可能である。これにより、健康情報管理装置（２０）において、推奨摂取カロリー情報の履歴も管理することが可能となる。
【０１０３】
なお、上記の健康カウンセリングを受ける際の処理動作は、図６に示唆するように、ステップＳ２７において、健康情報管理装置（２０）が、健康カウンセリングの結果情報が書き込まれたカルテを受信した際に、その受信した健康カウンセリングの結果情報が書き込まれたカルテを端末装置識別情報毎に区分してカロリー情報データベース（２１）に格納し、ステップＳ２８において、健康情報管理装置（２０）が、健康カウンセリングの結果がカロリー情報データベース（２１）に格納された旨の情報を移動体通信端末装置（１０）に送信したが、図７に示唆するように、健康情報管理装置（２０）が、健康カウンセリングの結果情報が書き込まれたカルテを受信した際に、その受信した健康カウンセリングの結果情報が書き込まれたカルテを端末装置識別情報毎に区分してカロリー情報データベース（２１）に格納し（ステップＳ４７）、健康情報管理装置（２０）が、そのカロリー情報データベース（２１）に格納した健康カウンセリングの結果情報が書き込まれたカルテを、端末装置識別情報を基に、健康カウンセリング結果情報の取得要求先の移動体通信端末装置（１０）に送信することも可能である（ステップＳ４８）。
【０１０４】
（カロリー情報閲覧端末装置（４０）から適切なアドバイス情報を取得する際の処理動作）
次に、図８、図９を参照しながら、利用者が、移動体通信端末装置（１０）を用いて、カロリー情報閲覧端末装置（４０）から適切なアドバイス情報を取得する際の処理動作について説明する。
【０１０５】
まず、図８を参照しながら、利用者が移動体通信端末装置（１０）を用いて、利用者に最適な推奨摂取カロリー情報に関する情報をカロリー情報閲覧端末装置（４０）から取得する際の処理動作について説明する。この場合、カロリー情報閲覧端末装置（４０）は、利用者がカロリーを摂取する飲食店やコンビニ等の店舗に設置されることになる。
【０１０６】
まず、利用者は、移動体通信端末装置（１０）の具備する操作部を用いて、移動体通信端末装置（１０）の具備する格納部に格納されたカロリー管理アプリケーションプログラムを読み出し、移動体通信端末装置（１０）の具備する操作部を用いて、カロリー情報の参照処理を行うことで、移動体通信端末装置（１０）の具備する格納部に格納した摂取カロリー情報と消費カロリー情報とを読み出し、１日の累積摂取カロリー情報、1日の基準摂取カロリーまでに必要な残りの摂取カロリー情報等のカロリー情報を移動体通信端末装置（１０）の具備する表示部上に表示することになる。
【０１０７】
次に、利用者は、移動体通信端末装置（１０）を用いて、その表示部上に表示された１日の累積摂取カロリー情報、1日の基準摂取カロリーまでに必要な残りの摂取カロリー情報等のカロリー情報と、移動体通信端末装置（１０）の端末装置識別情報と、を近距離無線通信にてカロリー情報閲覧端末装置（４０）に送信し、利用者に最適な推奨摂取カロリー情報に関する情報の取得要求を送信することになる（ステップＳ５１）。
【０１０８】
カロリー情報閲覧端末装置（４０）は、移動体通信端末装置（１０）から１日の累積摂取カロリー情報、1日の基準摂取カロリーまでに必要な残りの摂取カロリー情報等のカロリー情報と、移動体通信端末装置（１０）の端末装置識別情報と、を近距離無線通信にて受信し、移動体通信端末装置（１０）から利用者に最適な推奨摂取カロリー情報に関する情報の取得要求を受信した際に、カロリー情報閲覧端末装置（４０）は、パスワードの入力要求をカロリー情報閲覧端末装置（４０）の具備する表示部上に表示することになり（ステップＳ５２）、利用者は、カロリー情報閲覧端末装置（４０）の具備する操作部を用いてパスワードをカロリー情報閲覧端末装置（４０）に入力することになる。
【０１０９】
カロリー情報閲覧端末装置（４０）は、パスワードの入力が完了したと判断した場合に、その入力されたパスワードと、移動体通信端末装置（１０）の端末装置識別情報と、を健康情報管理装置（２０）に送信することになる（ステップＳ５３）。
【０１１０】
健康情報管理装置（２０）は、カロリー情報閲覧端末装置（４０）から端末装置識別情報とパスワードとを受信した際に、健康情報管理装置（２０）の具備するカロリー情報データベース（２１）を検索取得することになり（ステップＳ５４）、健康情報管理装置（２０）は、端末装置識別情報とパスワードとに関連付けたカロリー情報の履歴や健康カウンセリングの結果情報が書き込まれたカルテがカロリー情報データベース（２１）に格納されているか否かを判定することになる。
【０１１１】
健康情報管理装置（２０）は、健康カウンセリング要求先の移動体通信端末装置（１０）の端末装置識別情報とパスワードとに関連付けたカロリー情報の履歴や健康カウンセリングの結果情報が書き込まれたカルテがカロリー情報データベース（２１）に格納されていると判定した場合は、健康情報管理装置（２０）は、そのカロリー情報の履歴や健康カウンセリングの結果情報が書き込まれたカルテをカロリー情報データベース（２１）から取得し、その取得したカロリー情報の履歴や健康カウンセリングの結果情報が書き込まれたカルテを、カロリー情報閲覧端末装置（４０）に送信することになる（ステップＳ５５）。
【０１１２】
カロリー情報閲覧端末装置（４０）は、健康情報管理装置（２０）からカロリー情報の履歴や健康カウンセリングの結果情報が書き込まれたカルテを受信した際に、その受信したカロリー情報の履歴や健康カウンセリングの結果情報が書き込まれたカルテと、移動体通信端末装置（１０）から受信した１日の累積摂取カロリー情報、1日の基準摂取カロリーまでに必要な残りの摂取カロリー情報等のカロリー情報と、を基に、カロリー情報閲覧端末装置（４０）の具備するデータベースの中から、移動体通信端末装置（１０）を保持する利用者に最適な推奨摂取カロリー情報の食品や、メニュー等の情報を取得し、その取得した推奨摂取カロリー情報の食品や、メニュー等の一覧情報をカロリー情報閲覧端末装置（４０）の具備する表示部上に表示することになる（ステップＳ５６）。これにより、利用者は、利用者に最適な推奨摂取カロリー情報に関する情報をカロリー情報閲覧端末装置（４０）において閲覧することが可能となり、その利用者に最適な推奨摂取カロリー情報に関する情報を基に、そのカロリー情報閲覧端末装置（４０）が設置された店舗において摂取するカロリー情報のメニューを決定し、上述したカロリー情報の登録処理を行い、その決定したカロリー情報を移動体通信端末装置（１０）に登録して格納管理することになる。
【０１１３】
なお、カロリー情報閲覧端末装置（４０）は、カロリー情報閲覧端末装置（４０）の具備する表示部上に表示された、利用者に最適な推奨摂取カロリー情報に関する情報の印刷要求が行われたと判断した場合に、その推奨摂取カロリー情報に関する情報を用紙等に印刷し、出力するように構築することも可能である。これにより、利用者は、推奨摂取カロリー情報に関する情報をカロリー情報閲覧端末装置（４０）でプリントすることが可能となる。
【０１１４】
また、カロリー情報閲覧端末装置（４０）は、カロリー情報閲覧端末装置（４０）の具備する表示部上に表示された、利用者に最適な推奨摂取カロリー情報に関する情報の取得要求が、移動体通信端末装置（１０）から近距離無線通信により行われたと判断した場合に、カロリー情報閲覧端末装置（４０）は、その推奨摂取カロリー情報に関する情報を、取得要求先の移動体通信端末装置（１０）に近距離無線通信にて送信するように構築することも可能である。これにより、移動体通信端末装置（１０）は、カロリー情報閲覧端末装置（４０）から近距離無線通信にて受信した推奨摂取カロリー情報に関する情報を移動体通信端末装置（４０）の具備する表示部上で参照することが可能となる。
【０１１５】
次に、図９を参照しながら、利用者が移動体通信端末装置（１０）を用いて、利用者に最適な推奨消費カロリー情報に関する情報をカロリー情報閲覧端末装置（４０）から取得する際の処理動作について説明する。この場合、カロリー情報閲覧端末装置（４０）は、利用者がカロリーを消費するスポーツセンタ等の店舗に設置されることになる。
【０１１６】
利用者が移動体通信端末装置（１０）を用いて、利用者に最適な推奨消費カロリー情報に関する情報をカロリー情報閲覧端末装置（４０）から取得する場合は、ステップＳ６１〜ステップＳ６５までは、上記の図８に示唆する推奨摂取カロリー情報に関する情報を取得する際のステップＳ５１〜ステップＳ５５までの処理動作と同様な処理を行うことになり、最後に、カロリー情報閲覧端末装置（４０）が、健康情報管理装置（２０）からカロリー情報の履歴や健康カウンセリングの結果情報が書き込まれたカルテを受信した際に、その受信したカロリー情報の履歴や健康カウンセリングの結果情報が書き込まれたカルテと、移動体通信端末装置（１０）から受信した１日の累積摂取カロリー情報、1日の基準摂取カロリーまでに必要な残りの摂取カロリー情報等のカロリー情報と、を基に、カロリー情報閲覧端末装置（４０）の具備するデータベースの中から、利用者に最適な推奨消費カロリー情報の運動プランや、メニュー等の情報を取得し、その取得した推奨消費カロリー情報の運動プランや、メニュー等の一覧情報をカロリー情報閲覧端末装置（４０）の具備する表示部上に表示することになる（ステップＳ６６）。これにより、利用者は、利用者に最適な推奨消費カロリー情報に関する情報をカロリー情報閲覧端末装置（４０）において閲覧することが可能となり、その利用者に最適な推奨消費カロリー情報に関する情報を基に、消費するカロリー情報のメニューを決定し、上述したカロリー情報の登録処理を行い、その決定したカロリー情報を移動体通信端末装置（１０）に登録して格納管理することになる。
【０１１７】
なお、上述する実施例は、本発明の好適な実施例であり、上記実施例のみに本発明の範囲を限定するものではなく、本発明の要旨を逸脱しない範囲において種々の変更を施した形態での実施が可能である。
【産業上の利用可能性】
【０１１８】
本発明にかかる健康管理支援システム及び健康管理支援方法、並びに、その健康管理支援システム及び健康管理支援方法に用いられる移動体通信端末、健康管理装置、健康カウンセリング装置、カロリー閲覧端末は、各利用者の健康管理を支援するサービスに適用可能である。
【図面の簡単な説明】
【０１１９】
【図１】本発明にかかる健康管理支援システムのシステム構成を示唆するブロック図である。
【図２】本発明にかかる健康管理支援システムにおける処理動作を示唆するシーケンスチャートである。
【図３】本発明にかかる健康管理支援システムを構成する健康情報管理装置（２０）の具備するカロリー情報データベース（２１）のデータ構成を示唆する第１の図である。
【図４】本発明にかかる健康管理支援システムを構成する健康情報管理装置（２０）の具備するカロリー情報データベース（２１）のデータ構成を示唆する第２の図である。
【図５】移動体通信端末装置（１０）を用いて健康情報管理装置（２０）で管理するカロリー情報の履歴を参照する際の処理動作を示唆するシーケンスチャートである。
【図６】移動体通信端末装置（１０）を用いて健康カウンセリング装置（３０）での健康カウンセリングを受ける場合の処理動作を示唆する第１のシーケンスチャートである。
【図７】移動体通信端末装置（１０）を用いて健康カウンセリング装置（３０）での健康カウンセリングを受ける場合の処理動作を示唆する第２のシーケンスチャートである。
【図８】移動体通信端末装置（１０）を用いて、利用者に最適な推奨摂取カロリー情報に関する情報をカロリー情報閲覧端末装置（４０）から取得する際の処理動作を示唆するシーケンスチャートである。
【図９】移動体通信端末装置（１０）を用いて、利用者に最適な推奨消費カロリー情報に関する情報をカロリー情報閲覧端末装置（４０）から取得する際の処理動作を示唆するシーケンスチャートである。
【符号の説明】
【０１２０】
１０    移動体通信端末装置
２０    健康情報管理装置
２１    カロリー情報データベース
３０    健康情報カウンセリング装置
４０    カロリー情報閲覧端末装置
１００    ネットワーク
【図１】
2005275606.tif 000003
【図２】
2005275606.tif 000004
【図３】
2005275606.tif 000005
【図４】
2005275606.tif 000006
【図５】
2005275606.tif 000007
【図６】
2005275606.tif 000008
【図７】
2005275606.tif 000009
【図８】
2005275606.tif 000010
【図９】
2005275606.tif 000011